(57)【特許請求の範囲】
【請求項１】
ワイヤレス通信のための方法であって、
ユーザ機器（ＵＥ）で、マシンタイプ通信（ＭＴＣ）用の第１の基地局によってサポートされるチャネルの１つまたは複数の特性を識別することと、前記１つまたは複数の特性は、ブロードキャストチャネルを介して前記第１の基地局から受信された信号内の１つまたは複数のビットに少なくとも部分的に基づいて識別される、
前記１つまたは複数のチャネル特性に基づいて、前記第１の基地局とＭＴＣ情報を通信することと、前記第１の基地局とＭＴＣ情報を通信することは、前記ＵＥで、フレーム内の１つまたは複数のサブフレームの間に第１の基地局から前記ＭＴＣ情報を受信することを備え、
前記ＵＥで、同じフレーム内の１つまたは複数の異なるサブフレームの間に第２の基地局から、ＭＴＣ情報を受信することと、
前記第１の基地局から受信された前記ＭＴＣ情報に少なくとも部分的に基づいて、前記第１の基地局用の第１のチャネル基準値を決定することと、
前記第２の基地局から受信された前記ＭＴＣ情報に少なくとも部分的に基づいて、前記第２の基地局用の第２のチャネル基準値を決定することと、
前記ＵＥとの関連付けのために、前記第１の基地局および前記第２の基地局のうちの１つを選択することと、前記選択は、前記第１のチャネル基準値および前記第２のチャネル基準値に少なくとも部分的に基づき、前記関連付けは、前記ＵＥの動作プロファイルに少なくとも部分的に基づく、
を備える、方法。
【請求項２】
ＭＴＣ用の前記チャネルは、リソースブロックの対応するセットを有し、
前記１つまたは複数の特性は、リソースブロックの前記セットの周波数オフセットを識別する、請求項１に記載の方法。
【請求項３】
ＭＴＣ用の前記チャネルは、リソースブロックの対応するセットを有し、
前記１つまたは複数の特性は、異なるサブフレーム内のリソースブロックの前記セットの場所を識別する、請求項１に記載の方法。
【請求項４】
ＭＴＣ用の前記チャネルは、リソースブロックの対応するセットを有し、
前記第１の基地局は、ＭＴＣ用の１つまたは複数の追加チャネルをサポートし、ＭＴＣ用の前記１つまたは複数の追加チャネルの各々は、前記第１の基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、請求項１に記載の方法。
【請求項５】
前記第１の基地局とＭＴＣ情報を通信するためのリソースブロックの前記１つまたは複数の追加セットからのリソースブロックの第１のセットとリソースブロックの第２のセットとの間で選択することをさらに備える、請求項４に記載の方法。
【請求項６】
リソースブロックの第１のセットとリソースブロックの第２のセットとの間で前記選択することは、
前記ＵＥのユニークな識別子内の特定のビットを識別することと、
前記ビットの値に基づいて、リソースブロックの前記第１のセットとリソースブロックの前記第２のセットとの間で選択することとをさらに備える、請求項５に記載の方法。
【請求項７】
前記１つまたは複数の特性は、前記第１の基地局がＭＴＣ用の前記チャネルをサポートする１つまたは複数の時間期間を識別し、前記方法は、
前記１つまたは複数の時間期間に従って、前記第１の基地局とＭＴＣ情報を通信するために前記ＵＥを起こすことをさらに備える、請求項１に記載の方法。
【請求項８】
ワイヤレス通信のための装置であって、
ユーザ機器（ＵＥ）で、マシンタイプ通信（ＭＴＣ）用の第１の基地局によってサポートされるチャネルの１つまたは複数の特性を識別するための手段と、前記１つまたは複数の特性は、ブロードキャストチャネルを介して前記第１の基地局から受信された信号内の１つまたは複数のビットに少なくとも部分的に基づいて識別される、
前記１つまたは複数のチャネル特性に基づいて、前記第１の基地局とＭＴＣ情報を通信するための手段と、前記第１の基地局とＭＴＣ情報を通信するための手段は、前記ＵＥで、フレーム内の１つまたは複数のサブフレームの間に第１の基地局から前記ＭＴＣ情報を受信するための手段を備え、
前記ＵＥで、同じフレーム内の１つまたは複数の異なるサブフレームの間に第２の基地局から、ＭＴＣ情報を受信するための手段と、
前記第１の基地局から受信された前記ＭＴＣ情報に少なくとも部分的に基づいて、前記第１の基地局用の第１のチャネル基準値を決定するための手段と、
前記第２の基地局から受信された前記ＭＴＣ情報に少なくとも部分的に基づいて、前記第２の基地局用の第２のチャネル基準値を決定するための手段と、
前記ＵＥとの関連付けのために、前記第１の基地局および前記第２の基地局のうちの１つを選択するための手段と、前記選択は、前記第１のチャネル基準値および前記第２のチャネル基準値に少なくとも部分的に基づき、前記関連付けは、前記ＵＥの動作プロファイルに少なくとも部分的に基づく、
を備える、装置。
【請求項９】
ＭＴＣ用の前記チャネルは、リソースブロックの対応するセットを有し、
前記１つまたは複数の特性は、リソースブロックの前記セットの周波数オフセットを識別する、請求項８に記載の装置。
【請求項１０】
ＭＴＣ用の前記チャネルは、リソースブロックの対応するセットを有し、
前記１つまたは複数の特性は、異なるサブフレーム内のリソースブロックの前記セットの場所を識別する、請求項８に記載の装置。
【請求項１１】
ＭＴＣ用の前記チャネルは、リソースブロックの対応するセットを有し、
前記第１の基地局は、ＭＴＣ用の１つまたは複数の追加チャネルをサポートし、ＭＴＣ用の前記１つまたは複数の追加チャネルの各々は、前記第１の基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、請求項８に記載の装置。
【請求項１２】
前記第１の基地局とＭＴＣ情報を通信するためのリソースブロックの前記１つまたは複数の追加セットからのリソースブロックの第１のセットとリソースブロックの第２のセットとの間で選択するための手段をさらに備える、請求項１１に記載の装置。
【請求項１３】
リソースブロックの第１のセットとリソースブロックの第２のセットとの間で選択するための前記手段は、
前記ＵＥのユニークな識別子内の特定のビットを識別するための手段と、
前記ビットの値に基づいて、リソースブロックの前記第１のセットとリソースブロックの前記第２のセットとの間で選択するための手段とをさらに備える、請求項１２に記載の装置。
【請求項１４】
前記１つまたは複数の特性は、前記第１の基地局がＭＴＣ用の前記チャネルをサポートする１つまたは複数の時間期間を識別し、前記装置は、
前記１つまたは複数の時間期間に従って、前記第１の基地局とＭＴＣ情報を通信するために前記ＵＥを起こすための手段をさらに備える、請求項８に記載の装置。
【請求項１５】
請求項１から請求項７に記載された方法を実行するための命令を備える、コンピュータプログラム。
【発明の詳細な説明】
【技術分野】
【０００１】
相互参照
[0001]本特許出願は、２０１４年３月３日に出願された「Ｍｅｔｈｏｄ  ａｎｄ  Ａｐｐａｒａｔｕｓ  ｆｏｒ  ＭＴＣ  Ｄｅｖｉｃｅ  Ａｓｓｏｃｉａｔｉｏｎ  Ｓｃｈｅｍｅｓ」と題する、Ｓｏｍａｓｕｎｄａｒａｍらによる米国特許出願第１４／１９５，６２０号、２０１３年３月４日に出願された「Ｍｅｔｈｏｄ  ａｎｄ  Ａｐｐａｒａｔｕｓ  ｆｏｒ  ＭＴＣ  Ｄｅｖｉｃｅ  Ａｓｓｏｃｉａｔｉｏｎ  Ｓｃｈｅｍｅｓ」と題する、Ｓｏｍａｓｕｎｄａｒａｍらによる米国仮特許出願第６１／７７２，３９９号、および２０１３年３月２９日に出願された「Ｍｅｔｈｏｄ  ａｎｄ  Ａｐｐａｒａｔｕｓ  ｆｏｒ  ＭＴＣ  Ｄｅｖｉｃｅ  Ｐｒｏｆｉｌｅｓ  Ｎｅｇｏｔｉａｔｉｏｎ」と題する、Ｓｏｍａｓｕｎｄａｒａｍらによる米国仮特許出願第６１／８０６，６５３号の優先権を主張し、それらの各々は本明細書の譲受人に譲渡されている。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのユーザ機器（ＵＥ）のための通信をサポートすることができる、いくつかの基地局またはノードＢを含む場合がある。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００４】
[0004]ＵＥはマシンタイプ通信（ＭＴＣ）デバイスであり得るし、ワイヤレス通信ネットワークは、マクロセルおよび同様にスモールセル（たとえば、低電力ノードすなわちＬＰＮ）との異種ネットワークであり得る。場合によっては、スモールセルのカバレージは、マクロセルのカバレージによって圧倒される場合があり、ＭＴＣデバイスは、スモールセルと関連付けることが困難であることを見出す場合がある。したがって、ＭＴＣデバイスがスモールセルと関連付けることを可能にするために、異種ネットワーク内で強力なマクロセルの影響に対処するシステムと、方法と、デバイスとを使用することが望ましい場合がある。
【発明の概要】
【０００５】
[0005]ＭＴＣデバイスのために様々な関連付け方式が実施され得る、ワイヤレス通信のための方法および装置が記載される。異種ネットワークでは、ＭＴＣデバイスまたはＭＴＣ  ＵＥは、セルによってサポートされる狭帯域ＭＴＣチャネルを使用して、マクロセルまたはスモールセルと関連付けることができる。チャネルの周波数スペクトルおよび／または他の特性を含むＭＴＣチャネルについての情報は、物理ブロードキャストチャネル（ＰＢＣＨ）内の確保されたビットを使用して、マクロセルまたはスモールセルと関連付けられた基地局によってＭＴＣデバイスに送信され得る。ＭＴＣデバイスがＭＴＣチャネルを識別または特定すると、ＭＴＣデバイスは、ＭＴＣチャネルに対応するフレームまたはサブフレームの指定された物理リソースブロック（ＰＲＢ）の間で、セルと通信することができる。１つのセルまたは基地局用のＰＲＢは、別のセルまたは基地局用のＰＲＢとは異なる場合があり、その結果、１つのセルのＭＴＣ通信は別のセルのＭＴＣ通信に影響しない。ＭＴＣデバイスはＭＴＣ通信からのセルのチャネル基準値を決定することができ、チャネル基準値から関連付けるセルを識別することができる。関連付けは、ＭＴＣデバイスの動作プロファイルに基づいて、最良のダウンリンクセルまたは最良のアップリンクセルに対してであり得る。この手法により、強力なマクロセルが存在する場合でも、ＭＴＣデバイスがスモールセルまたは低電力ノード（ＬＰＮ）を発見し、それと関連付けることが可能になり得る。
【０００６】
[0006]ワイヤレス通信のための方法は、ユーザ機器で、マシンタイプ通信（ＭＴＣ）用の基地局によってサポートされるチャネルの１つまたは複数の特性を識別することを含み、ここで、１つまたは複数の特性は、ブロードキャストチャネルを介して基地局から受信された信号内の１つまたは複数のビットに少なくとも部分的に基づいて識別される。方法はまた、１つまたは複数のチャネル特性に従って、基地局とＭＴＣ情報を通信することを含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。
【０００７】
[0007]いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、方法はまた、基地局とＭＴＣ情報を通信するためのリソースブロックの１つまたは複数の追加セットから、リソースブロックの第１のセットとリソースブロックの第２のセットとの間を選択することを含む場合がある。選択することは、ユーザ機器のユニークな識別子内の特定のビットを識別することと、そのビットの値に基づいて、リソースブロックの第１のセットとリソースブロックの第２のセットとの間を選択することとを含む場合がある。いくつかの実施形態では、１つまたは複数の特性は、基地局がＭＴＣ用のチャネルをサポートする１つまたは複数の時間期間を識別することができ、方法は、１つまたは複数の時間期間に従って、基地局とＭＴＣ情報を通信するために、ユーザ機器を起こすことを含む場合がある。
【０００８】
[0008]いくつかの例では、ユーザ機器は、フレーム内の１つまたは複数のサブフレームの間で第１の基地局から、および同じフレーム内の１つまたは複数の異なるサブフレームの間で第２の基地局から、ＭＴＣ情報を受信することができる。方法はまた、第１の基地局から受信されたＭＴＣ情報に少なくとも部分的に基づいて、第１の基地局用の第１のチャネル基準値を決定することと、第２の基地局から受信されたＭＴＣ情報に少なくとも部分的に基づいて、第２の基地局用の第２のチャネル基準値を決定することとを含む場合がある。第１の基地局および第２の基地局のうちの１つは、ユーザ機器との関連付けのために選択される場合があり、ここで、選択は、第１のチャネル基準値および第２のチャネル基準値に少なくとも部分的に基づく。
【０００９】
[0009]ワイヤレス通信のための装置は、ユーザ機器で、ＭＴＣ用の基地局によってサポートされるチャネルの１つまたは複数の特性を識別するための手段を含み、ここで、１つまたは複数の特性は、ブロードキャストチャネルを介して基地局から受信された信号内の１つまたは複数のビットに少なくとも部分的に基づいて識別される。装置はまた、１つまたは複数のチャネル特性に従って、基地局とＭＴＣ情報を通信するための手段を含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。
【００１０】
[0010]いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、装置はまた、基地局とＭＴＣ情報を通信するためのリソースブロックの１つまたは複数の追加セットから、リソースブロックの第１のセットとリソースブロックの第２のセットとの間を選択するための手段を含む。いくつかの実施形態では、選択するための手段は、ユーザ機器のユニークな識別子内の特定のビットを識別するための手段と、そのビットの値に基づいて、リソースブロックの第１のセットとリソースブロックの第２のセットとの間を選択するための手段とを含む場合がある。いくつかの実施形態では、１つまたは複数の特性は、基地局がＭＴＣ用のチャネルをサポートする１つまたは複数の時間期間を識別することができ、装置は、１つまたは複数の時間期間に従って、基地局とＭＴＣ情報を通信するために、ユーザ機器を起こすための手段を含む場合がある。
【００１１】
[0011]ワイヤレス通信のための装置は、ユーザ機器で、ＭＴＣ用の基地局によってサポートされるチャネルの１つまたは複数の特性を識別するように構成されたＭＴＣモジュールを含み、ここで、１つまたは複数の特性は、ブロードキャストチャネルを介して基地局から受信された信号内の１つまたは複数のビットに少なくとも部分的に基づいて識別される。装置はまた、１つまたは複数のチャネル特性に従って、基地局とＭＴＣ情報を通信するように構成されたトランシーバモジュールを含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。
【００１２】
[0012]いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、ＭＴＣモジュールはさらに、基地局とＭＴＣ情報を通信するためのリソースブロックの１つまたは複数の追加セットから、リソースブロックの第１のセットとリソースブロックの第２のセットとの間を選択するように構成される場合がある。いくつかの実施形態では、ＭＴＣモジュールはさらに、ユーザ機器のユニークな識別子内の特定のビットを識別することと、そのビットの値に基づいて、リソースブロックの第１のセットとリソースブロックの第２のセットとの間を選択することとを行うように構成される場合がある。いくつかの実施形態では、１つまたは複数の特性は、基地局がＭＴＣ用のチャネルをサポートする１つまたは複数の時間期間を識別することができ、装置はさらに、１つまたは複数の時間期間に従って、基地局とＭＴＣ情報を通信するために、ユーザ機器を起こすように構成されたプロセッサモジュールを含む場合がある。
【００１３】
[0013]コンピュータプログラム製品は、ユーザ機器で、ＭＴＣ用の基地局によってサポートされるチャネルの１つまたは複数の特性を識別することを少なくとも１つのコンピュータに行わせるためのコードを有する非一時的コンピュータ可読媒体を含み、ここで、１つまたは複数の特性は、ブロードキャストチャネルを介して基地局から受信された信号内の１つまたは複数のビットに少なくとも部分的に基づいて識別される。非一時的コンピュータ可読媒体はまた、１つまたは複数のチャネル特性に従って、基地局とＭＴＣ情報を通信することを少なくとも１つのコンピュータに行わせるためのコードを有する。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。
【００１４】
[0014]いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、非一時的コンピュータ可読媒体は、基地局とＭＴＣ情報を通信するためのリソースブロックの１つまたは複数の追加セットから、リソースブロックの第１のセットとリソースブロックの第２のセットとの間を選択することを少なくとも１つのコンピュータに行わせるためのコードを有する場合がある。いくつかの実施形態では、非一時的コンピュータ可読媒体は、ユーザ機器のユニークな識別子内の特定のビットを識別することを少なくとも１つのコンピュータに行わせるためのコードと、そのビットの値に基づいて、リソースブロックの第１のセットとリソースブロックの第２のセットとの間を選択することを少なくとも１つのコンピュータに行わせるためのコードとを有する場合がある。いくつかの実施形態では、１つまたは複数の特性は、基地局がＭＴＣ用のチャネルをサポートする１つまたは複数の時間期間を識別することができ、非一時的コンピュータ可読媒体は、１つまたは複数の時間期間に従って、基地局とＭＴＣ情報を通信するために、ユーザ機器を起こすことを少なくとも１つのコンピュータに行わせるためのコードを有する場合がある。
【００１５】
[0015]上記では、以下の発明を実施するための形態がより良く理解され得るように、本開示による例の特徴および技術的利点についてやや広く概説した。以下で、さらなる特徴および利点が記載される。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。本明細書で開示される概念の特性であると考えられる特徴は、それらの編成と動作方法の両方に関して、関連する図とともに検討されると、関連した利点とともに以下の説明からより良く理解されよう。図の各々は、例示および説明のみの目的で与えられ、特許請求の範囲の限界を定めるものではない。
【００１６】
[0016]本発明の性質および利点のさらなる理解は、以下の図面を参照して実現され得る。添付の図では、同様の構成要素または特徴は同じ参照ラベルを有する場合がある。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図面の簡単な説明】
【００１７】
【図１】[0017]様々な実施形態による、ワイヤレス通信システムの一例を示す図。
【図２Ａ】[0018]様々な例による、異種ワイヤレス通信システムの一例を示す図。
【図２Ｂ】[0019]様々な例による、従来のチャネルに基づくＭＴＣデバイス用の関連付け方式の一例を示す図。
【図３Ａ】[0020]様々な実施形態による、ロングタームエボリューション（ＬＴＥ）無線フレームの構造の一例を示すブロック図。
【図３Ｂ】[0021]様々な実施形態による、ＬＴＥ無線フレームシーケンス内の物理ブロードキャストチャネル（ＰＢＣＨ）の一例を示すブロック図。
【図４】[0022]様々な実施形態による、新しい狭帯域チャネルに基づくＭＴＣデバイス用の関連付け方式の一例を示すブロック図。
【図５Ａ】[0023]様々な実施形態による、新しい狭帯域チャネルに基づくＭＴＣデバイス用の関連付け方式の別の例を示すブロック図。
【図５Ｂ】[0024]様々な実施形態による、同じサブフレーム内の複数のＭＴＣの機会を示すブロック図。
【図６】[0025]様々な実施形態による、新しい狭帯域チャネルに基づくＭＴＣデバイス用の関連付け方式のさらに別の例を示すブロック図。
【図７Ａ】[0026]様々な実施形態による、接続を確立するＭＴＣデバイスと基地局との間の通知の一例を示すコールフロー図。
【図７Ｂ】[0027]様々な実施形態による、接続を確立するＭＴＣデバイスと基地局との間の通知の別の例を示すコールフロー図。
【図８Ａ】[0028]様々な実施形態による、ＭＴＣ通信用のデバイスの一例を示すブロック図。
【図８Ｂ】[0029]様々な実施形態による、ＭＴＣ通信用のデバイスの別の例を示すブロック図。
【図９】[0030]様々な実施形態による、ＭＴＣデバイスアーキテクチャの一例を示すブロック図。
【図１０】[0031]様々な実施形態による、基地局アーキテクチャの一例を示すブロック図。
【図１１】[0032]様々な実施形態による、多入力多出力（ＭＩＭＯ）通信システムの一例を示すブロック図。
【図１２】[0033]様々な実施形態による、通信用の狭帯域ＭＴＣチャネルを立ち上げるための方法の一例のフローチャート。
【図１３】[0034]様々な実施形態による、通信用の狭帯域ＭＴＣチャネルを立ち上げるための方法の別の例のフローチャート。
【図１４】[0035]様々な実施形態による、通信用の狭帯域ＭＴＣチャネルを立ち上げるための方法のさらに別の例のフローチャート。
【図１５】[0036]様々な実施形態による、ＭＴＣ関連付け方式のための方法の一例のフローチャート。
【図１６】[0037]様々な実施形態による、ＭＴＣ関連付け方式のための方法の別の例のフローチャート。
【図１７】[0038]様々な実施形態による、ＭＴＣ関連付け方式のための方法のさらに別の例のフローチャート。
【図１８】[0039]様々な実施形態による、ＭＴＣ関連付け方式のための方法のさらに別の例のフローチャート。
【図１９】[0040]様々な実施形態による、ＭＴＣプロファイルに基づいてＭＴＣ接続を交渉するための方法の一例のフローチャート。
【図２０】[0041]様々な実施形態による、ＭＴＣプロファイルに基づいてＭＴＣ接続を交渉するための方法の別の例のフローチャート。
【図２１】[0042]様々な実施形態による、ＭＴＣプロファイルに基づいてＭＴＣ接続を交渉するための方法のさらに別の例のフローチャート。
【図２２】[0043]様々な実施形態による、ＭＴＣプロファイルに基づいてＭＴＣ接続を交渉するための方法の一例のフローチャート。
【図２３】[0044]様々な実施形態による、ＭＴＣプロファイルに基づいてＭＴＣ接続を交渉するための方法の別の例のフローチャート。
【図２４】[0045]様々な実施形態による、ＭＴＣプロファイルに基づいてＭＴＣ接続を交渉するための方法のさらに別の例のフローチャート。
【発明を実施するための形態】
【００１８】
[0046]記載される実施形態は、様々な関連付け方式がＭＴＣデバイスのために実施され得るし、ＭＴＣデバイスがＭＴＣ通信用の接続を交渉することができる、ワイヤレス通信のための方法と装置とを対象とする。たとえば、ＬＴＥ異種ネットワークなどの異種ネットワークでは、ＭＴＣデバイスまたはＭＴＣ  ＵＥは、セルによってサポートされる狭帯域ＭＴＣチャネルを使用して、マクロセルまたはスモールセルと関連付けることができる。チャネルの周波数スペクトルおよび／または他の特性を含むＭＴＣチャネルについての情報は、ＰＢＣＨ内の確保されたビットを使用して、マクロセルまたはスモールセルと関連付けられた基地局によって、ＭＴＣデバイスに送信され得る。ＭＴＣデバイスがＭＴＣチャネルを識別または特定すると、ＭＴＣデバイスは、ＭＴＣチャネルに対応するフレームまたはサブフレームの指定された物理リソースブロック（ＰＲＢ）の間で、セルと通信することができる。１つのセルまたは基地局用のＰＲＢは、別のセルまたは基地局用のＰＲＢとは異なる場合があり、その結果、１つのセルのＭＴＣ通信は、別のセルのＭＴＣ通信を圧倒しないか、またはそれに干渉しない。ＭＴＣデバイスは、ＭＴＣ通信からのセルのチャネル基準値（たとえば、経路損失、信号強度）を決定することができ、チャネル基準値から関連付けるセルを識別することができる。関連付けは、ＭＴＣデバイスの動作プロファイルに少なくとも部分的に基づいて、最良のダウンリンクセルまたは最良のアップリンクセルに対してであり得る。この手法により、強力なマクロセルが存在する場合でも、ＭＴＣデバイスがスモールセルまたは低電力ノード（ＬＰＮ）を発見し、それと関連付けることが可能になり得る。
【００１９】
[0047]セルのうちの１つと関連付けた後、ＭＴＣデバイスは、関連付けられたセル（たとえば、基地局）から、そのセルによってサポートされるＭＴＣプロファイルについての情報を含む無線リソース制御（ＲＲＣ）メッセージを受信することができる。場合によっては、関連付けられたセルからのＲＲＣメッセージは、ＭＴＣデバイスによって行われた要求に応答する。ＭＴＣデバイスは、ＭＴＣデバイスによってサポートされるＭＴＣプロファイルについての情報を有するＲＲＣメッセージをセルに送信することができる。ＭＴＣデバイスおよびセルは、それらの間のＭＴＣ通信を可能にする接続を確立するために、互換性のあるＭＴＣプロファイルを交渉し決定することができる。ＭＴＣプロファイルが互換性のないことを交渉からの結果が示したとき、ＭＴＣデバイスは、ＲＲＣ拒絶メッセージをセルに送ることができ、ＭＴＣ通信用の接続を確立するために、ＬＴＥ異種ネットワーク内の別のセルと関連付けることができる。
【００２０】
[0048]ＭＴＣデバイスまたはＭＴＣ  ＵＥは複雑度が低く、通常、機械間（Ｍ２Ｍ）通信に使用される。Ｍ２Ｍ通信により、一般に、センサまたはメータ（たとえば、サーモスタット）などのデバイスが、その後に処理用にネットワークを介して別のデバイス（たとえば、サーバ）に中継される情報を取り込むことが可能になる。Ｍ２Ｍのトラフィックは、遅延に対して耐性のある傾向があり、スモールデータのバーストが起こる頻度が低い。ＭＴＣデバイスは、一般に、低帯域で動作する場合があり、干渉消去サポートを有していない場合がある。ＭＴＣデバイスの帯域は、おおよそ１メガヘルツ（ＭＨｚ）であり、ＬＴＥシステムにおいて約６個のＰＲＢに対応する。
【００２１】
[0049]たとえば、ＷｉＦｉ（登録商標）またはＺｉｇｂｅｅ（登録商標）などのいくつかのワイヤレス技術は、Ｍ２Ｍ通信に使用される場合があるが、これらの技術は、非ライセンス帯域で動作し、サービス品質（ＱｏＳ）を保証しない。一方、セルラー技術は、いくつかのＭ２Ｍ通信に必要とされる場合があるＱｏＳを保証する。セルラー事業者は、低電力ノードすなわちＬＰＮとも呼ばれるスモールセルのレイヤを用いてマクロセルが展開される、ＬＴＥ異種ネットワーク（ＨｅｔＮｅｔ）を急速に展開している。ＬＴＥ  ＨｅｔＮｅｔの展開に起因するスモールセルの高密度化により、ＭＴＣデバイスと最も近いセルとの間の距離が縮小されるにつれて、ＭＴＣデバイスの送信電力要件が削減されるので、これらのネットワークがＭ２Ｍ通信にとって魅力的になる。すなわち、関連付けに利用可能な近くのセルが存在するので、ＭＴＣデバイスは強力な送信（すなわち、大声）を送る必要がなく、したがって、ＭＴＣデバイスがバッテリ動作しているときの考慮事項であり得る、電力を節約する。
【００２２】
[0050]ＬＴＥ  ＨｅｔＮｅｔは、通常、マクロセルとスモールセルの同一チャネル展開を有する。すなわち、スモールセルまたはＬＰＮは、マクロセルと同じ周波数帯域内で展開される。スモールセルのカバレージは、マクロセルの強力なカバレージによって圧倒される場合があるので、同一チャネル展開により、ＭＴＣデバイスおよびＭ２Ｍ通信についての困難さが証明される場合がある。たとえば、マクロセル内の典型的な基地局は、おおよそ４０ワット（Ｗ）で送信するが、スモールセル内の典型的な基地局は、おおよそ１Ｗで送信する。結果として、受信電力（たとえば、基準信号受信電力すなわちＲＳＲＰ）に基づく従来の関連付け方式を使用すると、より適切またはより適正な近くのスモールセルの代わりに、強力なマクロセルにほとんどのＭＴＣデバイスを関連付ける傾向があり得る。たとえば、ＬＴＥ  ＨｅｔＮｅｔ内のスモールセルがＭＴＣデバイスに対する経路損失がより少なく、ＭＴＣデバイスがスモールセルによって提供されるカバレージの外にいるとき、ＭＴＣデバイスによってサポートされる干渉管理方法が強力なマクロセルによってもたらされる干渉を取り消すことができないので、ＭＴＣデバイスは、マクロセルの代わりにスモールセル（すなわち、最良のアップリンクを有するセル）と関連付けることに苦労する。ＭＴＣデバイスまたはＭＴＣ  ＵＥがスモールセルまたはＬＰＮを発見することができ、強力なマクロセルが存在する場合でも同一チャネルのＬＴＥ  ＨｅｔＮｅｔ内のスモールセルまたはＬＰＮと関連付けることができる機構を記載する様々な方式が下記に提示される。
【００２３】
[0051]関連付け後、ＭＴＣ  ＵＥデバイスはさらに、ＭＴＣ通信を可能にするために関連付けられたセルとの接続を確立する必要があり得る。通常、接続を確立することは、ＭＴＣ  ＵＥが実装または使用することが複雑であり得る機構を要する場合がある。したがって、ＭＴＣ  ＵＥおよび関連付けられたセルがＭＴＣ通信用の接続を交渉することを可能にする効率的な機構が必要とされる場合がある。そのような機構の様々な実施形態も下記に提示される。
【００２４】
[0052]本明細書に記載される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムに使用される場合がある。「システム」と「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術などの様々な無線通信技術を採用することができる。一般に、ワイヤレス通信は、無線アクセス技術（ＲＡＴ）と呼ばれる１つまたは複数の無線通信技術の標準化された実装に従って実行される。無線アクセス技術を実装するワイヤレス通信のシステムまたはネットワークは、無線アクセスネットワーク（ＲＡＮ）と呼ばれる場合がある。
【００２５】
[0053]ＣＤＭＡ技法を採用する無線アクセス技術の例には、ＣＤＭＡ２０００、ユニバーサル地上無線アクセス（ＵＴＲＡ）などが含まれる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムの例には、モバイル通信用グローバルシステム（ＧＳＭ（登録商標））の様々な実装形態が含まれる。ＯＦＤＭおよび／またはＯＦＤＭＡを採用する無線アクセス技術の例には、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどが含まれる。ＵＴＲＡおよびＥ−ＵＴＲＡは、ユニバーサルモバイルテレコミュニケーションシステム（ＵＭＴＳ）の一部である。３ＧＰＰのロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載される技法は、上述されたシステムおよび無線技術、ならびに他のシステムおよび無線技術に使用される場合がある。
【００２６】
[0054]したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、必要に応じて様々な手順または構成要素を省略、置換、または追加することができる。たとえば、記載される方法は、記載される順序とは異なる順序で実行され得るし、様々なステップが追加、省略、または組み合わせられ得る。また、いくつかの実施形態に関して記載される特徴は、他の実施形態において組み合わせられ得る。
【００２７】
[0055]最初に図１を参照すると、図は、ワイヤレス通信システム１００の一例を示している。ワイヤレス通信システム１００は、基地局（またはセル）１０５と、ユーザ機器（ＵＥ）１１５と、コアネットワーク１３０とを含む。基地局１０５は、コアネットワーク１３０の制御下でＵＥ１１５と通信することができる。基地局１０５は、バックホールリンク１３２を介してコアネットワーク１３０と、制御情報および／またはユーザデータを通信することができる。実施形態では、基地局１０５は、有線またはワイヤレスの通信リンクであり得るバックホールリンク１３４を介して、直接的または間接的のいずれかで、互いに通信することができる。ワイヤレス通信システム１００は、複数のキャリア（様々な周波数の波形信号）上での動作をサポートすることができる。マルチキャリア送信機は、複数のキャリア上で同時に被変調信号を送信することができる。たとえば、各通信リンク１２５は、上述された様々な無線技術に従って変調されたマルチキャリア信号であり得る。各被変調信号は、異なるキャリア上で送られ得るし、制御情報（たとえば、基準信号、制御チャネルなど）、オーバーヘッド情報、データなどを搬送することができる。
【００２８】
[0056]基地局１０５は、１つまたは複数の基地局アンテナを介して、ＵＥ１１５とワイヤレス通信することができる。基地局１０５のサイトの各々は、それぞれの地理的カバレージエリア１１０に通信カバレージを提供することができる。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の適切な用語で呼ばれる場合がある。基地局用の地理的カバレージエリア１１０は、カバレージエリアの一部分のみを構成するセクタ（図示せず）に分割される場合がある。ワイヤレス通信システム１００は、様々なタイプの基地局１０５（たとえば、マクロ基地局、マイクロ基地局、および／またはピコ基地局）を含む場合がある。様々な技術のための重複カバレージエリアが存在する場合がある。
【００２９】
[0057]実施形態では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、一般に、それぞれ基地局１０５を記載するために使用される場合がある。ワイヤレス通信システム１００は、様々なタイプのｅＮＢが様々な地理的領域にカバレージを提供する、異種ＬＴＥ／ＬＴＥ−Ａネットワークであり得る。たとえば、各ｅＮＢは、マクロセル、ピコセル、フェムトセル、および／または他のタイプのセルに通信カバレージを提供することができる。ピコセル、フェムトセル、および／または他のタイプのセルなどのスモールセルは、低電力ノードすなわちＬＰＮを含む場合がある。マクロセルは、一般に、比較的大きい地理的エリア（たとえば、半径数キロメートル）をカバーし、ネットワークプロバイダとのサービスに加入しているＵＥによる無制限アクセスを可能にすることができる。ピコセルは、一般に、比較的小さい地理的エリアをカバーするはずであり、ネットワークプロバイダとのサービスに加入しているＵＥによる無制限アクセスを可能にすることができる。フェムトセルも、一般に、比較的小さい地理的エリア（たとえば、自宅）をカバーするはずであり、無制限アクセスに加えて、フェムトセルとの関連付けを有するＵＥ（たとえば、限定加入者グループ（ＣＳＧ）内のＵＥ、自宅内のユーザ用のＵＥなど）による制限付きアクセスも実現することができる。マクロセル用のｅＮＢは、マクロｅＮＢと呼ばれる場合がある。ピコセル用のｅＮＢは、ピコｅＮＢと呼ばれる場合がある。また、フェムトセル用のｅＮＢは、フェムトｅＮＢまたはホームｅＮＢと呼ばれる場合がある。ｅＮＢは、１つまたは複数（たとえば、２つ、３つ、４つなど）のセルをサポートすることができる。
【００３０】
[0058]コアネットワーク１３０は、バックホールリンク１３２（たとえば、Ｓ１など）を介して基地局１０５と通信することができる。基地局１０５はまた、たとえば、バックホールリンク１３４（たとえば、Ｘ２など）を介して、および／またはバックホールリンク１３２を介して（たとえば、コアネットワーク１３０を介して）、直接的または間接的に、互いに通信することができる。ワイヤレス通信システム１００は、同期動作または非同期動作をサポートすることができる。同期動作の場合、ｅＮＢは類似するフレームタイミングを有する場合があり、異なるｅＮＢからの送信は、時間的にほぼ整合される場合がある。非同期動作の場合、ｅＮＢは異なるフレームタイミングを有する場合があり、異なるｅＮＢからの送信は、時間的に整合されない場合がある。本明細書に記載される技法は、同期動作または非同期動作のいずれかに使用される場合がある。
【００３１】
[0059]ＵＥ１１５はワイヤレス通信システム１００全体にわたって分散され、各ＵＥは固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３２】
[0060]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含む場合がある。ダウンリンク送信は順方向リンク送信と呼ばれる場合もあり、アップリンク送信は逆方向リンク送信と呼ばれる場合もある。
【００３３】
[0061]ワイヤレス通信システム１００のいくつかの実施形態では、ＵＥ１１５のうちの１つまたは複数は、ＭＴＣデバイスまたはＭＴＣ  ＵＥであり、様々な関連付け方式がそれらのために実施され得る。ワイヤレス通信システム１００が異種ＬＴＥ／ＬＴＥ−Ａネットワーク（ＬＴＥ  ＨｅｔＮｅｔ）であるとき、ＭＴＣ  ＵＥ１１５は、セルによってサポートされる狭帯域ＭＴＣチャネルを使用して、マクロセルまたはスモールセルと関連付けることができる。チャネルの周波数スペクトルおよび／または他の特性を含むＭＴＣチャネルについての情報は、ＰＢＣＨ内の確保されたビットを使用して、マクロセルまたはスモールセルと関連付けられた基地局１０５によってＭＴＣ  ＵＥ１１５に送信され得る。ＭＴＣデバイスがＭＴＣチャネルを識別または特定すると、ＭＴＣデバイスは、ＭＴＣチャネルに対応するフレームまたはサブフレームの指定されたＰＲＢの間で、セルと通信することができる。１つのセルまたは基地局１０５用のＰＲＢは、別のセルまたは基地局１０５用のＰＲＢとは異なる場合があり、その結果、１つのセルのＭＴＣ通信は別のセルのＭＴＣ通信を圧倒しないか、またはそれに干渉しない。ＭＴＣ  ＵＥ１１５はＭＴＣ通信からのセルのチャネル基準値を決定することができ、チャネル基準値から関連付けるセルを識別することができる。関連付けは、ＭＴＣデバイスの動作プロファイルに基づいて、最良のダウンリンクセルまたは最良のアップリンクセルに対してであり得る。この手法により、強力なマクロセルが存在する場合でも、ＭＴＣデバイスがスモールセルまたはＬＰＮを発見し、それと関連付けることが可能になり得る。
【００３４】
[0062]次に図２Ａを参照すると、対応する地理的カバレージエリア２１０を有するマクロセル基地局２０５と、対応するカバレージエリア２２５を有するスモールセルまたはＬＰＮの基地局２２０とを含む、図１のワイヤレス通信１００の一部分を示す図２００が示される。ＭＴＣデバイスまたはＭＴＣ  ＵＥ２１５も図２Ａに示される。同一チャネル異種ＬＴＥネットワークでは、マクロセル基地局２０５およびＬＰＮ基地局２２０は、同じ周波数帯域を使用し、それにより、ＭＴＣ  ＵＥ２１５がＬＰＮ基地局２２０と関連付けることが困難になる場合がある。ダウンリンク（ＤＬ）がアップリンク（ＵＬ）から分離されている従来のチャネルに関連付けが基づく１つの方式と、基地局またはｅＮＢが電力クラスにわたって時分割多重化されている新しい狭帯域チャネルに基づく別の方式と、マクロセルがＭＴＣ通信用の低電力レベルで動作する新しい狭帯域チャネルに同様に基づく別の方式と、ＬＰＮが干渉なしにＭＴＣ通信を実行することを可能にするためにマクロセルが消音または沈黙する新しい狭帯域チャネルに同様に基づくさらに別の方式とを含む様々な関連付け方式が、そのような関連付けを可能にするために使用される場合がある。
【００３５】
[0063]図２Ｂを参照すると、図２Ｂのマクロセルまたは基地局２０５と、スモールセルまたはＬＰＮの基地局２２０と、ＭＴＣ  ＵＥ２１５とを有する従来のチャネルに基づく関連付け方式を示す図２３０が示される。たとえば、１次同期信号（ＰＳＳ）、２次同期信号（ＳＳＳ）、ＰＢＣＨ、およびセル固有基準信号（ＣＲＳ）などの従来のチャネル／基準シンボル（ＲＳ）上で、ＭＴＣ  ＵＥ２１５は、ＬＰＮ基地局２２０からの受信を圧倒する、マクロセル基地局２０５からの非常に強力なＤＬ信号２３５を受信する場合がある。一方、ＬＰＮ基地局２２０は、信号２４０を介して物理ランダムアクセスチャネル（ＰＲＡＣＨ）内でＭＴＣ  ＵＥ２１５によって送られた様々なＵＬ署名を介して、ＭＴＣ  ＵＥ２１５を検出することができる。
【００３６】
[0064]図２Ｂに示されたシナリオでは、ＭＴＣ  ＵＥ２１５は、ＤＬがＵＬから分離されている関連付けを有することができる。すなわち、ＤＬは１つのセルによって処理され、ＵＬは別のセルによって処理される。たとえば、ＭＴＣ  ＵＥ２１５は、強力なマクロセル基地局２０５と関連付けることができ、ＤＬ（たとえば、信号２３５）上でマクロセル基地局２０５から制御とデータとを受信することができる。ＵＬ上で、ＭＴＣ  ＵＥ２１５は、ＬＰＮ基地局２２０と、データと制御とを通信することができ、ＬＰＮ基地局２２０は、バックホールリンク（たとえば、Ｘ２インターフェース）を介して、マクロセル基地局２０５にＵＬ情報を中継することができる。
【００３７】
[0065]従来のチャネルに基づく関連付け方式と本明細書に記載される他の方式とを効果的に実施するために、異種ネットワーク内のＭＴＣ  ＵＥ２１５と様々なセルとの間のＭＴＣ通信は、通常、ＭＴＣデバイス内のフロントエンド受信機によってサポートされる狭帯域チャネル通信を立ち上げることができる。たとえば、データと制御とを含むすべてのＭＴＣ通信は、狭帯域チャネル内で画定され得る。ＬＴＥ  ＨｅｔＮｅｔの場合、事業者は、通常、１０ＭＨｚのスペクトルを有し、１０ＭＨｚのうちの１ＭＨｚのスペクトルは、ＭＴＣ通信用の狭帯域チャネルとして使用され得る。１ＭＨｚのスペクトルは、ＬＴＥにおいて約６個のＰＲＢに対応する。
【００３８】
[0066]動作中、ＭＴＣ  ＵＥ２１５は起きて、ＰＳＳ、ＳＳＳ、および／またはＰＢＣＨを読み取る。受信機の狭帯域のせいで、ＭＴＣ  ＵＥ２１５は、従来のシステム情報ブロック（ＳＩＢ）を読み取らない場合がある。最初の読取り後、ＭＴＣ  ＵＥ２１５は、１０ＭＨｚのスペクトル内のＭＴＣチャネルの位置の力ずくのラスタを実行する場合がある。そのような手法は、多くの電力を消費する可能性があり、かなりの時間を取る可能性がある。ラスタ時間を短縮することができる別の手法は、従来のＬＴＥのＰＳＳとＳＳＳとを収集し、次いで、ＰＢＣＨ内のリザーブビットを介して通知された情報に基づいて、ＭＴＣ狭帯域チャネルに移動することである。たとえば、ＰＢＣＨ内の確保されたビットのうちの２つ以上は、どこが１０ＭＨｚのスペクトル内のＭＴＣ狭帯域チャネルであるかを示すために使用される場合がある。
【００３９】
[0067]ＰＢＣＨ内の確保されたビットがＭＴＣ通信の様々な発生または機会を示すために使用される、様々な方法が存在する場合がある。１つの手法では、ビットは、ＰＢＣＨの中央の６個のＰＲＢからのオフセットまたは周波数偏移を通知または指示するために使用される場合がある。この周波数偏移は、ＭＴＣ狭帯域チャネル上に移動するために、ＭＴＣ  ＵＥ２１５が中央の６個のＰＲＢから移動する必要があるＰＲＢの数を表すことができる。
【００４０】
[0068]異なる手法では、確保されたビットは、ＭＴＣ通信の様々な発生または機会の全体的に粗い時間周波数パターン（すなわち、ホッピング）を通知または指示するために使用される場合がある。１つの時間周波数パターンは、無線フレームのシステムフレーム番号（ＳＦＮ）およびサブフレーム番号（Ｓｕｂ−ｆｒａｍｅ＿Ｎｕｍｂｅｒ）に基づく場合がある。たとえば、時間周波数パターンは、ＳＦＮ（ｍｏｄＮ）＝０＋Ｓｕｂ−ｆｒａｍｅ＿Ｎｕｍｂｅｒ（ｍｏｄ  Ｎ）＝０から取得される場合があり、ここで、ＮおよびＭは整数値である。別の時間周波数パターンは、ＰＲＢ番号（ＰＲＢ＿Ｎｕｍｂｅｒ）に基づく場合がある。たとえば、時間周波数パターンは、ＰＲＢ＿Ｎｕｍｂｅｒ（ｍｏｄＬ）＝０から取得される場合があり、ここで、Ｌは整数値である。いくつかの実施形態では、時間周波数パターンは、ＳＦＮ、Ｓｕｂ−ｆｒａｍｅ＿Ｎｕｍｂｅｒ、およびＰＲＢ＿Ｎｕｍｂｅｒに基づく場合がある。
【００４１】
[0069]この手法では、ＭＴＣの機会に関するすべての情報は、確保されたビットによって通知または指示される必要はない。確保されたビットは、ＭＴＣ  ＵＥ２１５がＭＴＣの機会のうちの任意の機会に移動するために十分な情報を提供することができるにすぎない。確保されたビットがＭＴＣの機会を通知または指示しない例では、ＭＴＣ通信チャネル上にいるためにスペクトル内でどこに移動すべきか確実ではなく、ＭＴＣ  ＵＥ２１５は、スペクトルの不確実な部分にわたって探索しなければならない場合がある。そのような探索は、時間と電力とを消費する可能性があり、スペクトルの不確実な部分の妥当な探索努力を行うためにトレードオフが必要とされる場合がある。
【００４２】
[0070]ＰＢＣＨ内の確保されたビットを使用するためのさらに別の手法では、同じサブフレーム上および異なる狭帯域チャネル（たとえば、同じサブフレーム内のＰＲＢの異なるセット）上の複数のＭＴＣの機会が、より少ないビットを用いて通知または指示される場合がある。たとえば、同じサブフレーム上でいくつのＭＴＣの機会が起こるかを示すために、十分なビットが使用される場合がある。様々なＭＴＣの機会が知られると、様々なＭＴＣ  ＵＥ２１５は、自然な負荷分散を介して様々な狭帯域チャネルにキャンプオンすることができる。たとえば、同じサブフレーム内で２つのＭＴＣの機会が起こると、各ＭＴＣ  ＵＥ２１５は、デバイス内に記憶されたユニークな識別子（たとえば、国際モバイル加入者識別情報すなわちＩＭＳＩ）内の同じビットを調べることができ、ビットの値に基づいて１つのチャネルまたは他のチャネルを選択することができる。ビットが「０」または「１」の値を有する可能性は同じであるので、ＭＴＣ  ＵＥ２１５のうちのおおよそ半分は、１つのチャネルを選択することができ、ＭＴＣ  ＵＥ２１５のうちのおおよそ半分は、他のチャネルを選択することができる。
【００４３】
[0071]次に図３Ａを参照すると、複数のサブフレーム３１５を有する無線フレーム３１０を示す図３００が示される。無線フレーム３１０は、通常、持続時間が１０ミリ秒（ｍｓ）であり、各サブフレーム３１５は、通常、持続時間が１ｍｓである。無線フレーム３１０およびサブフレーム３１５は、ＰＢＣＨ内の確保されたビットを使用して時間周波数パターンを通知および指示することに関して上述された無線フレームおよびサブフレームに対応する場合がある。図３Ａはまた、各サブフレーム３１５が２つのスロット３２０を含み、各スロットがＮ個のサブキャリアを含み、各サブキャリアが対応する数のＯＦＤＭシンボルを有することを示す。物理リソースブロックすなわちＰＲＢ３３０は、Ｎ個のサブキャリアのサブセットのＯＦＤＭシンボルを含む。典型的なＬＴＥシステムでは、ＰＲＢ３３０は、各々が７個のＯＦＤＭシンボルを有する１２個のサブキャリアを含み、合計８４個のリソース要素３２０を含む。ＰＲＢ３３０は、ＰＢＣＨ内の確保されたビットを使用して時間周波数パターンを通知および指示することに関して上述されたＰＲＢに対応する場合がある。
【００４４】
[0072]次に図３Ｂを参照すると、通常、各々が１０個のサブフレーム３１５を有する４個の連続無線フレーム３１０にわたってスパンする、ＰＢＣＨブロードキャストを示す図３５０が示される。ＰＢＣＨブロードキャストは、無線フレーム３１０の各々のサブフレーム０で起こり、システムの帯域幅の事前知識なしに、検出されるように設計される。ＰＢＣＨブロードキャストは、たとえば、ダウンリンク帯域幅およびＳＦＮなどの、セルからの情報を含む。情報はマスタ情報ブロック（ＭＩＢ）に含まれる場合があり、ＭＩＢはまた、セルによってサポートされるＭＴＣ通信の１つまたは複数の特性（たとえば、周波数偏移、時間周波数パターン、並行するＭＴＣの機会）を通知または指示するための上述された確保されたビットを含む場合がある。ＰＢＣＨブロードキャストは、サブフレーム０の中央の６個のＰＲＢにわたって起こる。上述されたように、ＭＴＣ狭帯域チャネルは、これらの中央の６個のＰＲＢから周波数偏移される場合があり、様々なサブフレーム用の様々なＰＲＢで起こる場合があり、同じサブフレーム内であるが、そのサブフレーム内のＰＲＢの異なるセットで２回以上起こる（たとえば、複数のＭＴＣの機会）場合がある。
【００４５】
[0073]確保されたビットを介してＰＢＣＨによって提供される情報は、ＭＴＣサービスの拒絶または延期を含む場合がある。たとえば、ＰＢＣＨの情報は、ある特定の時間期間にセルによるＭＴＣ通信向けのサポートがないことを通知または指示することができる。それに応じて、ＭＴＣデバイスまたはＭＴＣ  ＵＥは、スリープモードに入り、ＭＴＣ通信がサポートされるかどうかをチェックするために、事前構成または構成された時間に起きることができる。ＰＢＣＨによって提供された情報に基づいて、ＭＴＣデバイスのスリープモードおよび起床のスケジュールは、デバイスのバッテリ寿命を増やすために、動的に調整され得る。
【００４６】
[0074]ＭＴＣ  ＰＲＢと呼ばれる場合がある、ＭＴＣ通信用にセルによって割り振られたＰＲＢの間、名目のＬＴＥのスケジュールされたデータは起こらない。しかしながら、セル固有基準信号（ＣＲＳ）は、従来のキャリアタイプのために依然存在する場合がある。その上、ＭＴＣ狭帯域通信の場合、データ、制御、および基準シンボル（ＲＳ）は、ＭＴＣ  ＰＲＢ内に自蔵される場合がある。
【００４７】
[0075]次に図４を参照すると、様々な電力クラスの間で時分割多重化が調整され、ＭＴＣ通信用に新しい狭帯域チャネルが使用される、別の関連付け方式を示す図４００が示される。たとえば、図４００は、サブフレームＮおよびＮ＋５において、高電力ノード（たとえば、マクロセル）が、それぞれＭＴＣ  ＰＲＢ４１０および４３０のセット（対角線）を使用することによって送信できることを示す。サブフレームＮ＋２において、低電力ノード（たとえば、スモールセル）は、ＭＴＣ  ＰＲＢ４２０のセット（クロスハッチ）を使用することによって送信することができる。この関連付け方式により、強力なセルおよびそれより弱いセルが、ＭＴＣデバイスによって両方検出され得るように、異なる時間に送信することを可能にする、ＰＲＢレベルでの拡張セル間干渉協調（ｅＩＣＩＣ）の形態が効果的に実装される。
【００４８】
[0076]上述されたように、低電力ノードと関連付けられたＭＴＣ  ＰＲＢ内に、高電力ノードからの支配的なＣＲＳが依然存在する場合がある。しかしながら、ＭＴＣデバイスは容量を必要とせず、これらの大きさを失うことを容認できると見出す場合があるので、ＣＲＳに対応するリソース要素のまわりでレートマッチすることは可能である。
【００４９】
[0077]その上、図４のサブフレーム内の電力クラスノードごとに示された周期性またはスケジュールは、限定ではなく例として提供されているにすぎない。各電力クラスノード（たとえば、高電力ノード、低電力ノード）は、その電力クラスノードの負荷に基づいて、その周期性を、すなわち、その電力クラスノード向けにＭＴＣ通信が起こるサブフレームを調整することができる。負荷が大きいほど、必要なＭＴＣ通信がより多くなる場合があり、それに応じて、周期性は動的に調整される場合がある。負荷が小さいかまたは軽いほど、必要なＭＴＣ通信がより少なくなる場合があり、それに応じて、周期性は動的に調整される場合がある。
【００５０】
[0078]サブフレームの間で電力クラスノードからＭＴＣデバイスによって受信された情報は、その電力クラスノードと関連付けられた基地局またはｅＮＢの送信（Ｔｘ）電力を含む。ＭＴＣデバイスは、この情報に基づいて、基地局への経路損失を決定することができる。１つまたは複数の基地局について経路損失が知られると、ＭＴＣデバイスは、それらの基地局のうちの１つと関連付けることができる。１つの手法では、ＭＴＣデバイスは、最も小さい経路損失を有するセル、基地局、または電力クラスノードと関連付けることができる。経路損失が小さいほど、ＭＴＣデバイスについてのＵＬ電力消費がより良くなる。別の手法では、ＭＴＣデバイスは、最も強い信号を有するセル、基地局、または電力クラスノードと関連付けることができる。信号が強いほど、送信がより迅速に行われ得るので、ＤＬ電力消費がより良くなる。どの手法を採るべきかの選択は、ＭＴＣデバイスのトラフィックプロファイルに依存する場合がある。たとえば、データが概してセルまたは基地局に送信されるスマートメータの適用例の場合、最小の経路損失に基づく手法がより適切であり得る。一方、基地局から動作命令を受信するスプリンクラーシステムの場合、最強の信号に基づく手法がより適切であり得る。マクロセルが最も強い信号を供給し、スモールセルまたはＬＰＮが最も小さい経路損失を有する例では、図２Ｂを参照して上記に示されたように、ＤＬはＵＬから分離される場合がある。やはり、そのような方式は、セル間で交換されるいくつかの調整情報を有することを要する場合がある。
【００５１】
[0079]次に図５Ａを参照すると、マクロセルの送信電力がＭＴＣ通信のために減らされる、別の関連付け方式を示す図５００が示される。たとえば、図５００は、サブフレームＮおよびＮ＋５において、高電力ノード（たとえば、マクロセル）が、それぞれＭＴＣ  ＰＲＢ５１０および５３０のセット（対角線）を使用することによって送信できることを示す。サブフレームＮ＋２において、低電力ノード（たとえば、スモールセル）は、ＭＴＣ  ＰＲＢ５２０のセット（クロスハッチ）を使用することによって送信することができる。しかしながら、高電力ノードからのＭＴＣ送信は、低電力ノードからのＭＴＣ送信と同じ電力レベルになるように減らされる。電力クラスノード間のある程度の調整は、適切な電力レベルが使用されることを保証するために必要とされる場合がある。図５Ｂは、図５Ａの関連付け方式が様々な電力クラスノード用のＭＴＣ  ＰＲＢの時分割多重化を含む必要がないことを示す図５５０を示す。たとえば、図５５０は、同じサブフレームＮにおいて、高電力ノード（たとえば、マクロセル）がＭＴＣ  ＰＲＢ５６０のセット（対角線）を使用することによって送信することができ、低電力ノード（たとえば、スモールセル）もＭＴＣ  ＰＲＢ５７０のセット（クロスハッチ）を使用することによって送信することができることを示す。加えて、サブフレームＮ＋５において、高電力ノードは、ＭＴＣ  ＰＲＢ５８０のセット（対角線）を使用することによって送信することができる。
【００５２】
[0080]図５Ａと図５Ｂの両方に示された例の場合、セルについての受信された信号の強度が大体同じであるので、ＭＴＣデバイスは、最も小さい経路損失を有する電力クラスノードまたはセルに関連付けることができる。場合によっては、マクロセル内の減らされた電力のＭＴＣ通信についてエラーベクトル振幅（ＥＶＭ）問題が発生する可能性がある。
【００５３】
[0081]次に図６を参照すると、マクロセルがＭＴＣ通信のために沈黙または消音され、スモールセルがマクロセルの消音または沈黙されたＭＴＣ  ＰＲＢの間で送信する、さらに別の関連付け方式を示す図６００が示される。たとえば、図６００は、サブフレームＮ、Ｎ＋２、およびＮ＋５において、低電力ノード（たとえば、スモールセル）がＭＴＣ  ＰＲＢ６１０、６２０、および６３０のセット（クロスハッチ）を使用することによって送信することができるが、高電力ノード（たとえば、マクロセル）からのＭＴＣ通信は存在しないことを示す。高電力ノードからのＭＴＣ通信を使用不可にすることによって、上述されたＥＶＭ問題は発生しないか、または最小化される場合がある。この関連付け方式により、ＭＴＣ  ＰＲＢ上のＬＰＮの異種ネットワークが効果的にもたらされ、ＭＴＣデバイスは、たとえば、受信された最も強い信号を有するＬＰＮと関連付けることができる。
【００５４】
[0082]図７Ａを参照すると、ＭＴＣ通信用の接続を確立するためのＭＴＣ  ＵＥ７１５と基地局７０５との間の通知の一例を示す図７００が示される。図７００に示された通知機構は、セルまたは基地局７０５とＭＴＣ  ＵＥ７１５との間にある。基地局７０５は、図１、図２Ａ、および図２Ｂの基地局１０５、２０５、および２２０の一例であり得る。ＭＴＣ  ＵＥ７１５は、図１のＵＥ１１５、ならびに図２Ａおよび図２ＢのＭＴＣ  ＵＥ２１５の一例であり得る。
【００５５】
[0083]７２０（１）において、ＭＴＣ  ＵＥ７１５と基地局７０５との間の関連付けが起こる。関連付けは、図１５、図１６、図１７、および図１８の方法１５００、１６００、１７００、および１８００に関して下記に記載される関連付け方式のうちの１つに少なくとも部分的に基づく場合がある。７２５（２ａ）において、ＭＴＣ  ＵＥ７１５は、ＭＴＣ通信用の基地局７０５によってサポートされるプロファイルのセットを要求するために、基地局７０５に無線リソース制御（ＲＲＣ）メッセージを送信することができる。ＲＲＣメッセージは、ＲＲＣ要求メッセージと呼ばれる場合がある。ＭＴＣ  ＵＥ７１５は、基地局７０５がサポートするＭＴＣプロファイルについての情報を基地局７０５がさらにブロードキャストしなければならないとき、要求を送信することができる。
【００５６】
[0084]７３０（２ｂ）において、基地局７０５は、基地局７０５がサポートするＭＴＣプロファイルのセットについての情報を含むＲＲＣメッセージを、ＭＴＣ  ＵＥ７１５に送信することができる。ＲＲＣメッセージは、ＭＴＣ  ＵＥ７１５からの要求（たとえば、２ａ）に応答して、またはスケジュールされたブロードキャストの一部として送信される場合がある。情報は、サポートされるプロファイルを識別する１つまたは複数のビットを含む場合がある。この場合、ＭＴＣ  ＵＥ７１５は、１つまたは複数のビットからプロファイルを識別するように構成される場合がある。その上、ＲＲＣメッセージは、基地局７０５によってブロードキャストされる場合があり、サポートされるＭＴＣプロファイルについての情報は、ブロードキャストされたメッセージ内の１つまたは複数のシステム情報ブロック（ＳＩＢ）に含まれる場合がある。基地局７０５によって提供されるＭＴＣプロファイル情報は、限定はしないが、ＭＴＣ通信の周期性、ＭＴＣ通信用の遅延バジェット、および／またはＭＴＣ通信用のビットレートを含む、様々な動作パラメータを含む場合がある。
【００５７】
[0085]７３５（３）において、ＭＴＣ  ＵＥ７１５は、ＭＴＣ  ＵＥ７１５がサポートするＭＴＣプロファイルのセットについての情報を含むＲＲＣメッセージを、基地局７０５に送信することができる。この情報は、サポートされるプロファイルを識別する１つまたは複数のビットを含む場合がある。この場合、基地局７０５は、１つまたは複数のビットからプロファイルを識別するように構成される場合がある。ＭＴＣ  ＵＥ７１５によって提供されるＭＴＣプロファイル情報は、限定はしないが、ＭＴＣ通信の周期性、ＭＴＣ通信用の遅延バジェット、ＭＴＣ通信用のビットレート、および／またはセキュリティパラメータを含む、様々な動作パラメータを含む場合がある。
【００５８】
[0086]７４０（４）において、ＭＴＣ  ＵＥ７１５と基地局７０５は、それを用いてＭＴＣ  ＵＥ７１５と基地局７０５との間のＭＴＣ通信を可能にする接続を確立するために、互換性のあるＭＴＣプロファイルを交渉し決定することができる。互換性は、ＭＴＣ  ＵＥ７１５によってサポートされるＭＴＣプロファイル内の動作パラメータのうちの１つまたは複数を、基地局７０５によってサポートされるＭＴＣプロファイル内の動作パラメータのうちの１つまたは複数と一致させることを含む場合がある。７４５（５）において、交渉からの結果が２つのデバイスの間に少なくとも１つの互換性のあるＭＴＣプロファイルが存在することを決定したとき、互換性のあるＭＴＣプロファイルを使用して、ＭＴＣ通信用に接続が確立され得る。たとえば、２つ以上の互換性のあるプロファイルが見出されたとき、交渉は、プロファイル内の動作パラメータのうちの１つまたは複数に基づく、互換性のあるプロファイルのうちの１つの選択を含む場合がある。たとえば、より大きい周期性を有するプロファイルが好ましい場合があり、接続を確立するために選択される場合がある。図７Ｂは、交渉の結果が２つのデバイスの間で互換性のあるＭＴＣプロファイルが見出されなかったことであるとき、起こる可能性があることを示す図７５０を示す。この場合、ＭＴＣ  ＵＥ７１５は、基地局７０５との接続を拒絶するＲＲＣメッセージを基地局７０５に送信することができる。７５５（６）において、ＭＴＣ  ＵＥ７１５は、異なるセルまたは基地局との新しい関連付けを求めることができ、上述された関連付け方式のうちの１つまたは複数を実施することができる。関連付けが起きたとき、ＭＴＣ  ＵＥ７１５は、再び、新しく関連付けられたセルまたは基地局とのＭＴＣ通信用の接続を確立するように試みることができる。
【００５９】
[0087]図８Ａを参照すると、ＭＴＣ通信用の接続を交渉し確立するためのデバイス８００を示すブロック図が示される。デバイス８００は、図１、図２Ａ、図２Ｂ、図７Ａ、図７Ｂ、図９、および図１１を参照して記載されたＵＥおよびＭＴＣ  ＵＥの１つまたは複数の態様の一例であり得る。デバイス８００はまた、プロセッサであり得る。デバイス８００は、受信機モジュール８０５、ＭＴＣモジュール８１０、および／または送信機モジュール８１５を含む場合がある。これらの構成要素の各々は、互いに通信している場合がある。
【００６０】
[0088]デバイス８００は、受信機モジュール８０５、ＭＴＣモジュール８１０、および／または送信機モジュール８１５を介して、基地局（たとえば、基地局１０５、２０５、２２０、７０５、１００５、および１１１０）またはセルから、第１のＲＲＣプロファイルメッセージを受信するように構成される場合があり、ここで、第１のＲＲＣプロファイルメッセージは、基地局によってサポートされるＭＴＣプロファイルのセットを含む。第１のＲＲＣプロファイルメッセージは、基地局との関連付け後、または基地局との関連付けとともに、基地局によってブロードキャストされる場合がある。デバイス８００は、基地局に第２のＲＲＣプロファイルメッセージを送信するように構成される場合があり、ここで、第２のＲＲＣプロファイルメッセージは、ＭＴＣデバイス（たとえば、ＭＴＣ  ＵＥ）によってサポートされるＭＴＣプロファイルのセットを含む。デバイス８００は、ＭＴＣデバイスによってサポートされるセット内のＭＴＣプロファイルと互換性のある、基地局によってサポートされるセット内のＭＴＣプロファイルを交渉し決定するように構成される場合がある。デバイス８００は、互換性のあるＭＴＣプロファイルを使用して、基地局との接続を確立するように構成される場合がある。確立された接続により、基地局とのＭＴＣ通信が可能になる。
【００６１】
[0089]デバイス８００のいくつかの実施形態では、デバイス８００は、基地局によってサポートされるＭＴＣプロファイルのセットを要求するために、基地局にＲＲＣ要求メッセージを送信するように構成される。ＲＲＣ要求メッセージに応答して、基地局から第１のＲＲＣプロファイルメッセージが受信される。ＲＲＣ要求メッセージの送信は、たとえば、ＲＲＣ接続セットアップメッセージまたはＲＲＣ再構成メッセージの一部であり得る。
【００６２】
[0090]デバイス８００のいくつかの実施形態では、第１のＲＲＣプロファイルメッセージは、基地局によってブロードキャストされるＲＲＣメッセージであり、基地局によってサポートされるＭＴＣプロファイルのセットは、ＲＲＣブロードキャストメッセージ内の１つまたは複数のＳＩＢに含まれる。
【００６３】
[0091]デバイス８００のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【００６４】
[0092]デバイス８００のいくつかの実施形態では、デバイス８００は、基地局にＲＲＣ拒絶メッセージを送信するように構成され、ここで、ＲＲＣ拒絶メッセージは、交渉がＭＴＣデバイスと基地局との間の互換性のないＭＴＣプロファイルをもたらしたとき、ＭＴＣデバイスが基地局との接続を拒絶することを示す。
【００６５】
[0093]デバイス８００のいくつかの実施形態では、デバイス８００は、第１のＲＲＣプロファイルメッセージ内で受信された１つまたは複数のビットから、基地局によってサポートされるセット内のＭＴＣプロファイルの各々を識別するように構成される。
【００６６】
[0094]デバイス８００のいくつかの実施形態では、デバイス８００は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、ＭＴＣデバイスから受信するように構成される。
【００６７】
[0095]デバイス８００のいくつかの実施形態では、デバイス８００は、基地局によってサポートされるセット内のＭＴＣプロファイルを表すために、第１のＲＲＣプロファイルメッセージ内の１つまたは複数のビットを割り当てるように構成される。
【００６８】
[0096]デバイス８００のいくつかの実施形態では、基地局は、ＭＴＣ通信をサポートする複数の基地局を有する異種ネットワーク内の第１の基地局であり、デバイス８００は、交渉がＭＴＣデバイスと第１の基地局との間の互換性のないＭＴＣプロファイルをもたらしたとき、ＭＴＣデバイスが第１の基地局との接続を拒絶することを示すＲＲＣ拒絶メッセージを、第１の基地局に送信するように構成される。デバイス８００はまた、ＭＴＣデバイスが次に関連付けるべき異種ネットワークからの第２の基地局を識別するように構成される。たとえば、第１の基地局は、異種ネットワーク内のスモールセルに対応する場合があり、第２の基地局は、異種ネットワーク内のマクロセルに対応する場合がある。別の例では、第１の基地局は、異種ネットワーク内のマクロセルに対応する場合があり、第２の基地局は、異種ネットワーク内のスモールセルに対応する場合がある。
【００６９】
[0097]次に図８Ｂを参照すると、ＭＴＣ通信用の接続を交渉し確立するためのデバイス８２０を示すブロック図が示される。デバイス８２０は、図８Ａのデバイス８００の一例であり得る。デバイス８２０はまた、プロセッサであり得る。デバイス８２０は、受信機モジュール８０５、ＭＴＣモジュール８２５、および／または送信機モジュール８１５を含む場合がある。ＭＴＣモジュール８２５は、図８ＡのＭＴＣモジュール８１０の一例であり得る。これらの構成要素の各々は、互いに通信している場合がある。
【００７０】
[0098]ＭＴＣモジュール８２５は、関連付けモジュール８２６と、交渉モジュール８２７と、接続モジュール８２８と、識別モジュール８２９と、プロファイルモジュール８３０とを含む場合がある。関連付けモジュール８２６は、上述された関連付け方式のうちの１つまたは複数に関する様々な態様を実施するように構成される場合がある。交渉モジュール８２７は、図７Ａおよび図７Ｂに関して上述されたＭＴＣ通信用の接続を確立するための交渉に関する様々な態様を実施するように構成される場合がある。接続モジュール８２８は、図７Ａおよび図７Ｂに関して上述されたＭＴＣ通信用の接続を確立または拒絶することに関する様々な態様を実施するように構成される場合がある。識別モジュール８２９は、図７Ａおよび図７Ｂに関して上述された関連付けのためのＭＴＣプロファイルおよび／または基地局を識別することに関する様々な態様を実施するように構成される場合がある。識別モジュール８２９はまた、ＭＴＣプロファイルを表すためのビットの割当てに関する様々な態様を実施する場合がある。プロファイルモジュール８３０は、１つまたは複数のＭＴＣプロファイルについての情報を記憶および／または提供することに関する様々な態様を実施するように構成される場合がある。
【００７１】
[0099]図９を参照すると、ＬＴＥ  ＨｅｔＮｅｔなどのセルラーネットワークを介したＭＴＣ通信用に構成されたＭＴＣ  ＵＥ９１５を示す図９００が示される。ＭＴＣ  ＵＥ９１５は、干渉消去をサポートしない場合がある干渉管理方法を有する低複雑度デバイスであり得る。しかしながら、ＭＴＣ  ＵＥ９１５は、様々な他の構成を有する場合があり、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネットアプライアンス、ゲームコンソール、電子リーダに含まれるか、またはその一部であり得る。ＭＴＣ  ＵＥ９１５は、モバイル操作を容易にするために、小型バッテリなどの内部電源（図示せず）を有する場合がある。ＭＴＣ  ＵＥ９１５は、図１のＵＥ１１５、ならびに／または図２Ａおよび図２ＢのＭＴＣ  ＵＥ２１５の一例であり得る。場合によっては、ＭＴＣ  ＵＥ９１５は、ワイヤレス通信デバイス、ユーザ機器、またはＭＴＣデバイスと呼ばれる場合がある。
【００７２】
[0100]ＭＴＣ  ＵＥ９１５は、アンテナ９６５と、トランシーバモジュール９６０と、メモリ９３０と、プロセッサモジュール９２０とを含む場合があり、それらは各々、（たとえば、１つまたは複数のバスを介して）互いに直接的または間接的に通信している場合がある。トランシーバモジュール９６０は、上述されたように、アンテナ９６５および／または１つもしくは複数の有線もしくはワイヤレスのリンクを介して、１つまたは複数のネットワークと双方向に通信するように構成される場合がある。たとえば、トランシーバモジュール９６０は、図１、図２Ａ、図２Ｂ、図７Ａ、図７Ｂ、図１０、および図１１の基地局１０５、２０５、２２０、７０５、１００５、および１１１０と双方向に通信するように構成される場合がある。トランシーバモジュール９６０は、送信機モジュールおよび別個の受信機モジュールとして実装される場合がある。トランシーバモジュール９６０は、パケットを変調し、変調されたパケットを送信用にアンテナ９６５に供給し、アンテナ９６５から受信されたパケットを復調するように構成されたモデムを含む場合がある。ＭＴＣ  ＵＥ９１５は単一のアンテナを含む場合があるが、ＭＴＣ  ＵＥ９１５が複数のアンテナ９６５を含む場合がある実施形態が存在する場合がある。
【００７３】
[0101]メモリ９３０には、ランダムアクセスメモリ（ＲＡＭ）および読取り専用メモリ（ＲＯＭ）が含まれ得る。メモリ９３０は、実行されたとき、たとえば、ＭＴＣ通信チャネルを検出および特定するため、ならびに／またはＭＴＣ関連付け方式を実施するための、本明細書に記載された様々な機能をプロセッサモジュール９２０に実行させるように構成された命令を含む、コンピュータ可読、コンピュータ実行可能ソフトウェアコード９３５を記憶することができる。代替として、コンピュータ実行可能ソフトウェアコード９３５は、プロセッサモジュール９２０によって直接的に実行可能ではないが、（たとえば、コンパイルされ実行されると）本明細書に記載された機能をコンピュータに実行させるように構成される場合がある。
【００７４】
[0102]プロセッサモジュール９２０には、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスが含まれ得る。プロセッサモジュール９２０は、トランシーバモジュール９６０を介して受信された、および／またはアンテナ９６５を介した送信用にトランシーバモジュール９６０に送られるべき情報を処理することができる。プロセッサモジュール９２０は、単独またはＭＴＣモジュール９５０とともに、ＭＴＣ通信チャネルを検出および特定すること、ならびに／またはＭＴＣ関連付け方式を実施することの様々な態様を処理することができる。プロセッサモジュール９２０はまた、単独またはＭＴＣモジュール９５０とともに、ＭＴＣ  ＵＥ９１５をスリープモードに入れること、および／または基地局とのＭＴＣ通信のためにそのデバイスを起こすことに関する様々な態様を処理することができる。
【００７５】
[0103]図９のアーキテクチャによれば、ＭＴＣ  ＵＥ９１５はさらに、通信管理モジュール９４０を含む場合がある。通信管理モジュール９４０は、他のＵＥ１１５および／または様々な基地局（たとえば、マクロセル、スモールセル）との通信を管理することができる。例として、通信管理モジュール９４０は、（図９に示されたような）バスを介してＭＴＣ  ＵＥ９１５の他の構成要素の一部または全部と通信している、ＭＴＣ  ＵＥ９１５の構成要素であり得る。代替として、通信管理モジュール９４０の機能は、トランシーバモジュール９６０の構成要素として、コンピュータプログラム製品として、および／またはプロセッサモジュール９２０の１つもしくは複数のコントローラ要素として実装される場合がある。ＭＴＣ  ＵＥ９１５はまた、たとえば、それぞれ図８Ａおよび図８Ｂのデバイス８００および８２０の機能の一部または全部を実装するように構成される場合がある、ＭＴＣモジュール９５０を含む場合がある。
【００７６】
[0104]ＭＴＣ  ＵＥ９１５用の構成要素は、図１、図２Ａ、図２Ｂ、図７Ａ、図７Ｂ、図８Ａ、および図８Ｂのデバイス１１５、２１５、７１５、８００、および８２０に関して上記で説明された態様を実施するように構成される場合があり、それらの態様は、簡潔にするためにここでは繰り返されなくてもよい。その上、ＭＴＣ  ＵＥ９１５用の構成要素は、それぞれ図１１、図１２、図１４、図１５、図１６、図１９、図２０、および図２１の方法１３００、１４００、１６００、１７００、１８００、１９００、２０００、および２１００に関して下記で説明される態様を実施するように構成される場合があり、それらの態様も、簡潔にするためにここでは繰り返されなくてもよい。
【００７７】
[0105]ＭＴＣ  ＵＥ９１５はまた、ＭＴＣモジュール９５０を含む場合があり、ＭＴＣモジュール９５０は、下記に記載されるように、ＭＴＣ通信チャネルを検出および特定すること、ならびに／またはＭＴＣ関連付け方式を実施することの様々な態様を処理するように構成される場合がある。ＭＴＣモジュール９５０は、１つまたは複数のＭＴＣ通信チャネルについての経路損失および／または信号強度を決定するように構成される場合があるが、ＭＴＣ  ＵＥ９１５は、適切な測定および／または決定を行うために、別の構成要素（たとえば、検出器−図示せず）を使用する場合がある。ＭＴＣモジュール９５０はまた、ＭＴＣ  ＵＥ９１５をスリープモードに入れること、および／または基地局とのＭＴＣ通信のためにそのデバイスを起こすことを行うように構成される場合がある。
【００７８】
[0106]図１０を参照すると、ＬＴＥ  ＨｅｔＮｅｔなどのセルラーネットワークを介したＭＴＣ通信用に構成された基地局１００５を示す図１０００が示される。いくつかの実施形態では、基地局１００５は、図１、図２Ａ、および図２Ｂの基地局１０５、２０５、および２２０の一例であり得る。基地局１００５は、（たとえば、１つまたは複数のバスを介して）直接的または間接的にそれぞれが互いに通信している場合がある、アンテナ１０８５と、トランシーバモジュール１０８０と、メモリ１０３５と、プロセッサモジュール１０４０とを含む場合がある。トランシーバモジュール１０８０は、アンテナ１０８５を介して、図９のＭＴＣ  ＵＥ９１５などの１つまたは複数のＭＴＣデバイスを含む、１つまたは複数のユーザ機器と双方向に通信するように構成される場合がある。トランシーバモジュール１０８０（および／または基地局１００５の他の構成要素）はまた、１つまたは複数のネットワークと双方向に通信するように構成される場合がある。場合によっては、基地局１００５は、ネットワーク通信モジュール１０２０を介してコアネットワーク１０３０と通信することができる。コアネットワーク１０３０は、図１のコアネットワーク１３０の一例であり得る。基地局１００５は、ｅノードＢ基地局、ホームｅノードＢ基地局、ノードＢ基地局、および／またはホームノードＢ基地局の一例であり得る。その上、基地局１００５は、マクロセル内の基地局、またはＬＰＮなどのスモールセル内の基地局の一例であり得る。
【００７９】
[0107]基地局１００５はまた、基地局１０１０および基地局１０１５などの他の基地局と通信することができる。基地局１００５、１０１０、および１０１５の各々は、様々な無線アクセス技術などの様々なワイヤレス通信技術を使用して、ユーザ機器と通信することができる。場合によっては、基地局１００５は、基地局通信モジュール１０７０を使用して他の基地局と通信することができる。いくつかの実施形態では、基地局通信モジュール１０７０は、いくつかの基地局の間の通信を実現するために、ＬＴＥワイヤレス通信技術内のＸ２インターフェースを提供することができる。このインターフェースにより、様々なタイプのＭＴＣ関連付け方式のための情報を調整することに関するメッセージの交換が可能になり得る。いくつかの実施形態では、基地局１００５は、コアネットワーク１０３０を介して他の基地局と通信することができる。
【００８０】
[0108]メモリ１０３５には、ランダムアクセスメモリ（ＲＡＭ）および読取り専用メモリ（ＲＯＭ）が含まれ得る。メモリ１０３５はまた、実行されたとき、たとえば、１つもしくは複数のＭＴＣ通信チャネルをサポートすること、ＰＢＣＨを介してＭＴＣ通信チャネルの特性を示すこと、および／またはＭＴＣ関連付け方式を実施することのための、本明細書に記載された様々な機能記載された様々な機能をプロセッサモジュール１０４０に実行させるように構成された命令を含む、コンピュータ可読、コンピュータ実行可能ソフトウェアコード１０３６を記憶することができる。代替として、コンピュータ実行可能ソフトウェアコード１０３６は、プロセッサモジュール１０４０によって直接的に実行可能ではないが、たとえば、コンパイルされ実行されると、本明細書に記載された機能をコンピュータに実行させるように構成される場合がある。
【００８１】
[0109]プロセッサモジュール１０４０には、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などが含まれ得る。プロセッサモジュール１０４０は、トランシーバモジュール１０８０、基地局通信モジュール１０７０、および／またはネットワーク通信モジュール１０２０を介して受信された情報を処理することができる。プロセッサモジュール１０４０はまた、アンテナ９６５を介した送信用にトランシーバモジュール９６０に、基地局通信モジュール１０７０に、および／またはネットワーク通信モジュール１０２０に送られるべき情報を処理することができる。プロセッサモジュール１０４０は、単独またはＭＴＣモジュール１０６０とともに、１つもしくは複数のＭＴＣ通信チャネルをサポートすること、ＰＢＣＨを介してその目的のための１つもしくは複数のビットを割り当てることによってＭＴＣ通信チャネルの特性を示すこと、および／またはＭＴＣ関連付け方式を実施することの様々な態様を処理することができる。プロセッサモジュール８４０はまた、単独またはＭＴＣモジュール１０６０とともに、ある特定のサブフレームの間にＭＴＣ送信を使用不可にすることまたは消音することを含む、ＭＴＣ送信の期間および／またはＭＴＣ送信の電力を調整することの様々な態様を処理することができる。プロセッサモジュール１０４０はまた、単独またはＭＴＣモジュール１０６０とともに、基地局１００５および関連付けられたＭＴＣ  ＵＥのＭＴＣプロファイルに基づいて、ＭＴＣ通信用の接続を交渉し確立することのための、本明細書に記載された様々な態様を処理することができる。
【００８２】
[0110]トランシーバモジュール１０８０は、パケットを変調し、変調されたパケットを送信用にアンテナ１０８５に供給し、アンテナ１０８５から受信されたパケットを復調するように構成されたモデムを含む場合がある。トランシーバモジュール１０８０は、送信機モジュールおよび別個の受信機モジュールとして実装される場合がある。
【００８３】
[0111]図１０のアーキテクチャによれば、基地局１００５はさらに、通信管理モジュール１０５０を含む場合がある。通信管理モジュール１０５０は、他の基地局との通信を管理することができる。例として、通信管理モジュール１０５０は、（図１０に示されたような）バスを介して、基地局１００５の他の構成要素の一部または全部と通信している、基地局１００５の構成要素であり得る。代替として、通信管理モジュール１０５０の機能は、トランシーバモジュール１０８０の構成要素として、コンピュータプログラム製品として、および／またはプロセッサモジュール１０４０の１つもしくは複数のコントローラ要素として実装される場合がある。基地局１００５はまた、たとえば、それぞれ図８Ａおよび図８Ｂのデバイス８００および８２０の機能の一部または全部を実装するように構成される場合がある、ＭＴＣモジュール１０６０を含む場合がある。
【００８４】
[0112]基地局１００５用の構成要素は、図１、図２Ａ、図２Ｂ、図７Ａ、および図７Ｂのデバイス１０５、２０５、２２０、７０５に関して上記で説明された態様を実施するように構成される場合があり、それらの態様は、簡潔にするためにここでは繰り返されなくてもよい。その上、基地局１００５用の構成要素は、それぞれ図１２、図１５、図２２、図２３、および図２４の方法１２００、１５００、２２００、２３００、および２４００に関して下記で説明される態様を実施するように構成される場合があり、それらの態様も、簡潔にするためにここでは繰り返されなくてもよい。
【００８５】
[0113]基地局１００５はまた、ＭＴＣモジュール１０６０を含む場合があり、ＭＴＣモジュール１０６０は、上述されたように、１つもしくは複数のＭＴＣ通信チャネルをサポートすること、ＰＢＣＨを介してその目的のための１つもしくは複数のビットを割り当てることによってＭＴＣ通信チャネルの特性を示すこと、および／またはＭＴＣ関連付け方式を実施することの様々な態様を処理するように構成される場合がある。ＭＴＣモジュール１０６０はまた、ある特定のサブフレームの間にＭＴＣ送信を使用不可にすることまたは消音することを含む、ＭＴＣ送信の期間および／またはＭＴＣ送信の電力を調整するように構成される場合がある。
【００８６】
[0114]次に図１１を参照すると、基地局１１１０とモバイルデバイス１１５０とを含む、多入力多出力（ＭＩＭＯ）ワイヤレス通信システム１１００のブロック図が示される。基地局１１１０は、それぞれ、図１の基地局１０５、図２Ａ、図２Ｂの基地局２０５、２２０、図７Ａおよび図７Ｂの基地局７０５、ならびに／または図１０の基地局１００５の一例であり得るし、モバイルデバイス１１５０は、図１のＵＥ１１５、図２Ａおよび図２ＢのＭＴＣデバイスもしくはＭＴＣ  ＵＥ２１５、図７Ａおよび図７ＢのＭＴＣ  ＵＥ７１５、ならびに／または図９のＭＴＣ  ＵＥ９１５の一例であり得る。ワイヤレス通信システム１１００は、図１のワイヤレス通信システム１００、ならびに図２Ａおよび図２Ｂに示されたワイヤレス通信システム１００のそれらの部分の態様を示すことができる。その上、ワイヤレス通信システム１１００は、図９のＭＴＣ  ＵＥ９１５および図１０の基地局１００５の態様を示すことができる。基地局１１１０は、アンテナ１１３４−ａ〜１１３４−ｘを搭載する場合があり、モバイルデバイス１１５０はアンテナ１１５２−ａ〜１１５２−ｎを搭載する場合がある。ワイヤレス通信システム１１００において、基地局１１１０は、同時に複数の通信リンクを介してデータを送ることが可能であり得る。各通信リンクは「レイヤ」と呼ばれる場合があり、通信リンクの「ランク」は、通信に使用されるレイヤの数を示すことができる。たとえば、基地局１１１０が２つの「レイヤ」を送信する２×２  ＭＩＭＯシステムでは、基地局１１１０とモバイルデバイス１１５０との間の通信リンクのランクは２である。
【００８７】
[0115]基地局１１１０で、送信（Ｔｘ）プロセッサ１１２０は、データソースからデータを受信することができる。送信プロセッサ１１２０は、データを処理することができる。送信プロセッサ１１２０はまた、基準シンボルとセル固有基準信号とを生成することができる。送信（Ｔｘ）ＭＩＭＯプロセッサ１１３０は、適用可能な場合、データシンボル、制御シンボル、および／または基準シンボルに対して空間処理（たとえば、プリコーディング）を実行することができ、送信変調器／復調器１１３２−ａ〜１１３２−ｘに出力シンボルストリームを供給することができる。各変調器／復調器１１３２は、出力サンプルストリームを取得するために、（たとえば、ＯＦＤＭ用などの）それぞれの出力シンボルストリームを処理することができる。各変調器／復調器１１３２はさらに、ダウンリンク（ＤＬ）信号を取得するために、出力サンプルストリームを処理（たとえば、アナログへの変換、増幅、フィルタ処理、およびアップコンバート）することができる。一例では、変調器／復調器１１３２−ａ〜１１３２−ｘからのＤＬ信号は、それぞれ、アンテナ１１３４−ａ〜１１３４−ｘを介して送信される場合がある。いくつかの実施形態では、ＤＬ信号は、ＭＴＣ用の基地局１１１０によってサポートされるチャネルの１つまたは複数の特性を示す、確保されたＰＢＣＨビットを含む。
【００８８】
[0116]モバイルデバイス１１５０で、モバイルデバイスアンテナ１１５２−ａ〜１１５２−ｎは、基地局１１１０からＤＬ信号を受信することができ、それぞれ変調器／復調器１１５４−ａ〜１１５４−ｎに受信信号を供給することができる。ＤＬ信号は、ＭＴＣ用の基地局１１１０によってサポートされるチャネルの１つまたは複数の特性を示す、確保されたＰＢＣＨビットを含む場合がある。各変調器／復調器１１５４は、入力サンプルを取得するために、それぞれの受信信号を調整（たとえば、フィルタ処理、増幅、ダウンコンバート、およびデジタル化）することができる。各変調器／復調器１１５４はさらに、受信シンボルを取得するために、（たとえば、ＯＦＤＭ用などの）入力サンプルを処理することができる。ＭＩＭＯ検出器１１５６は、すべての変調器／復調器１１５４−ａ〜１１５４−ｎから受信シンボルを取得し、適用可能な場合、受信シンボルに対してＭＩＭＯ検出を実行し、検出されたシンボルを供給することができる。受信（Ｒｘ）プロセッサ１１５８は、検出されたシンボルを処理（たとえば、復調、デインターリーブ、および復号）し、モバイルデバイス１１５０用に復号されたデータをデータ出力に供給し、復号された制御情報をプロセッサ１１８０またはメモリ１１８２に供給することができる。プロセッサ１１８０は、限定はしないが、ＰＢＣＨの確保されたビット内の情報を処理することと、ＭＴＣ通信チャネルを特定および検出することと、１つまたは複数のＭＴＣ通信チャネルを介して通信することと、ＭＴＣ通信チャネルと関連付けられたチャネル基準値の決定および比較を処理することと、起床モードおよびスリープモードを使用可能および使用不可にすることと、関連付けのためのセルを選択することとを含む、ＭＴＣ関連付け方式について上述された様々な態様を制御することができる、モジュールまたは機能１１８１を含む場合がある。プロセッサ１１８０はまた、モバイルデバイス１１５０および基地局１１１０によってサポートされるＭＴＣプロファイルに基づいて、ＭＴＣ通信用の接続を交渉し確立する機構について本明細書に記載された様々な態様を制御することができる、モジュールまたは機能１１８１を含む場合がある。
【００８９】
[0117]アップリンク（ＵＬ）上で、モバイルデバイス１１５０で、送信（Ｔｘ）プロセッサ１１６４は、データソースからデータを受信し処理することができる。送信プロセッサ１１６４はまた、基準信号用の基準シンボルを生成することができる。送信プロセッサ１１６４からのシンボルは、適用可能な場合、送信（Ｔｘ）ＭＩＭＯプロセッサ１１６６によってプリコーディングされ、さらに（たとえば、ＳＣ−ＦＤＭＡ用などの）変調器／復調器１１５４−ａ〜１１５４−ｎによって処理され、基地局１１１０から受信された送信パラメータに従って基地局１１１０に送信される場合がある。基地局１１１０で、モバイルデバイス１１５０からのＵＬ信号は、アンテナ１１３４によって受信され、変調器／復調器１１３２によって処理され、適用可能な場合、ＭＩＭＯ検出器１１３６によって検出され、さらに受信プロセッサによって処理される場合がある。受信（Ｒｘ）プロセッサ１１３８は、復号データをデータ出力およびプロセッサ１１４０に供給することができる。プロセッサ１１４０は、限定はしないが、ＭＴＣ通信チャネルの特性を示すＰＢＣＨの確保されたビット内の情報を割り当てることと、１つまたは複数のＭＴＣ通信チャネルをサポートすることと、１つまたは複数の基地局と調整情報を交換することと、ある特定のＰＲＢの間ＭＴＣ送信を消音することまたは使用不可にすることを含むＭＴＣ通信用の送信電力レベルを制御することとを含む、ＭＴＣ関連付け方式について上述された様々な態様を制御することができる、モジュールまたは機能１１４１を含む場合がある。基地局１１１０の構成要素は、個別にまたは集合的に、ハードウェア内の適用可能な機能の一部または全部を実行するように適応された、１つまたは複数の特定用途向け集積回路（ＡＳＩＣ）を用いて実装される場合がある。言及されたモジュールの各々は、ワイヤレス通信システム１１００の動作に関係する１つまたは複数の機能を実行するための手段であり得る。同様に、モバイルデバイス１１５０の構成要素は、個別にまたは集合的に、ハードウェア内の適用可能な機能の一部または全部を実行するように適応された、１つまたは複数の特定用途向け集積回路（ＡＳＩＣ）を用いて実装される場合がある。言及された構成要素の各々は、ワイヤレス通信システム１１００の動作に関係する１つまたは複数の機能を実行するための手段であり得る。
【００９０】
[0118]いくつかの様々な開示された実施形態に適応することができる通信ネットワークは、階層化プロトコルスタックに従って動作するパケットベースネットワークであり得る。たとえば、ベアラまたはパケットデータコンバージェンスプロトコル（ＰＤＣＰ）レイヤでの通信は、ＩＰベースであり得る。無線リンク制御（ＲＬＣ）レイヤは、論理チャネルを介して通信するために、パケットセグメンテーションとリアセンブリとを実行することができる。媒体アクセス制御（ＭＡＣ）レイヤは、優先度処理と、トランスポートチャネルへの論理チャネルの多重化とを実行することができる。ＭＡＣレイヤはまた、ＭＡＣレイヤで再送信を行ってリンク効率を改善するために、ハイブリッドＡＲＱ（ＨＡＲＱ）を使用することができる。物理レイヤで、トランスポートチャネルは物理チャネルにマッピングされ得る。
【００９１】
[0119]次に図１２を参照すると、ＭＴＣ通信用の狭帯域チャネルを立ち上げるための例示的な方法１２００のフローチャートが示される。方法１２００は、たとえば、図１のワイヤレス通信システム１００と図２Ａおよび図２Ｂに示されたそれらの部分、ならびに／または図１、図２Ａ、図２Ｂ、図７Ａ、図７Ｂ、および図１０の基地局１０５、２０５、２２０、７０５、および１００５を使用して、実施される場合がある。
【００９２】
[0120]ブロック１２０５において、基地局で、ＭＴＣ用の基地局によってサポートされるチャネルの１つまたは複数の特性を示すために、１つまたは複数のビットが割り当てられる場合がある。ブロック１２１０において、１つまたは複数のビットを備える信号が、ブロードキャストチャネル（たとえば、ＰＢＣＨ）を介して送信される。
【００９３】
[0121]方法１２００のいくつかの実施形態では、ＭＴＣ用のチャネルは、リソースブロックの対応するセットを有し、１つまたは複数の特性は、リソースブロックのそのセットの周波数オフセットを識別する。別の実施形態では、ＭＴＣ用のチャネルは、リソースブロックの対応するセットを有し、１つまたは複数の特性は、異なるサブフレーム内のリソースブロックのそのセットの場所を識別する。別の実施形態では、ＭＴＣ用のチャネルは、リソースブロックの対応するセットを有し、基地局は、ＭＴＣ用の１つまたは複数の追加チャネルをサポートし、ＭＴＣ用の１つまたは複数の追加チャネルの各々は、基地局によってサポートされる任意の他のチャネルのリソースブロックとは異なるリソースブロックの対応するセットを有し、１つまたは複数の特性は、同じサブフレーム内のリソースブロックの各セットの場所を識別する。さらに別の実施形態では、１つまたは複数の特性は、基地局がＭＴＣ用のチャネルをサポートする１つまたは複数の時間期間を識別する。
【００９４】
[0122]図１３を参照すると、ＭＴＣ通信用の狭帯域チャネルを立ち上げるための例示的な方法１３００のフローチャートが示される。方法１３００は、たとえば、図１のワイヤレス通信システム１００と図２Ａおよび図２Ｂに示されたそれらの部分、ならびに／または図１、図２Ａ、図２Ｂ、図７Ａ、図７Ｂ、および図９のＭＴＣ  ＵＥ１１５、２１５、７１５、および９１５を使用して、実施される場合がある。
【００９５】
[0123]ブロック１３０５において、ＭＴＣ用の基地局によってサポートされるチャネルの１つまたは複数の特性がユーザ機器で識別され、ここで、１つまたは複数の特性は、ブロードキャストチャネル（たとえば、ＰＢＣＨ）を介して基地局から受信された信号内の１つまたは複数のビットに少なくとも部分的に基づいて識別される。ブロック１３１０において、ＭＴＣ情報は、１つまたは複数のチャネル特性に従って、基地局と通信される。
【００９６】
[0124]方法１３００のいくつかの実施形態では、ＭＴＣ用のチャネルは、リソースブロックの対応するセットを有し、１つまたは複数の特性は、リソースブロックのそのセットの周波数オフセットを識別する。別の実施形態では、ＭＴＣ用のチャネルは、リソースブロックの対応するセットを有し、１つまたは複数の特性は、異なるサブフレーム内のリソースブロックのそのセットの場所を識別する。さらに別の実施形態では、ＭＴＣ用のチャネルは、リソースブロックの対応するセットを有し、基地局は、ＭＴＣ用の１つまたは複数の追加チャネルをサポートし、ＭＴＣ用の１つまたは複数の追加チャネルの各々は、基地局によってサポートされる任意の他のチャネルのリソースブロックとは異なるリソースブロックの対応するセットを有し、１つまたは複数の特性は、同じサブフレーム内のリソースブロックの各セットの場所を識別する。
【００９７】
[0125]方法１３００のいくつかの実施形態では、方法は、基地局とＭＴＣ情報を通信するためのリソースブロックの１つまたは複数の追加セットから、リソースブロックの第１のセットとリソースブロックの第２のセットとの間を選択することを含む。選択することは、ユーザ機器のユニークな識別子内の特定のビットを識別することと、そのビットの値に基づいて、リソースブロックの第１のセットとリソースブロックの第２のセットとの間を選択することとを含む場合がある。別の実施形態では、１つまたは複数の特性は、基地局がＭＴＣ用のチャネルをサポートする１つまたは複数の時間期間を識別し、方法は、１つまたは複数の時間期間に従って、基地局とＭＴＣ情報を通信するためにユーザ機器を起こすことを含む。
【００９８】
[0126]次に図１４を参照すると、ＭＴＣ通信用の狭帯域チャネルを立ち上げるための例示的な方法１４００のフローチャートが示される。方法１４００は、上記の方法１３００と同様に、たとえば、図１のワイヤレス通信システム１００と図２Ａおよび図２Ｂに示されたそれらの部分、ならびに／または図１、図２Ａ、図２Ｂ、図７Ａ、図７Ｂ、および図９のＭＴＣ  ＵＥ１１５、２１５、７１５、および９１５を使用して、実施される場合がある。
【００９９】
[0127]ブロック１４０５において、ＭＴＣ用の基地局によってサポートされる第１のチャネルおよび第２のチャネルの１つまたは複数の特性がユーザ機器で識別され、ここで、第１のチャネルはリソースブロックの第１のセットを有し、第２のチャネルはリソースブロックの第２のセットを有し、ここで、１つまたは複数の特性は、ブロードキャストチャネル（たとえば、ＰＢＣＨ）を介して基地局から受信された信号内の１つまたは複数のビットに少なくとも部分的に基づいて識別され、ここで、１つまたは複数の特性は、同じサブフレーム内のリソースブロックの第１のセットの場所とリソースブロックの第２のセットの場所とを識別する。ブロック１４１０において、リソースブロックの第１のセットとリソースブロックの第２のセットとの間で選択が行われる。ブロック１４１５において、リソースブロックの選択されたセットに従って、ＭＴＣ情報が基地局と通信される。
【０１００】
[0128]図１５を参照すると、ＭＴＣ関連付け方式のための例示的な方法１５００のフローチャートが示される。方法１５００は、たとえば、図１のワイヤレス通信システム１００と図２Ａおよび図２Ｂに示されたそれらの部分、ならびに／または図１、図２Ａ、図２Ｂ、図７Ａ、図７Ｂ、および図１０の基地局１０５、２０５、２２０、７０５、および１００５を使用して、実施される場合がある。
【０１０１】
[0129]ブロック１５０５において、第１の基地局と第２の基地局との間の交換から、調整情報が第１の基地局で受信され、その結果、第１の基地局はフレーム内の１つまたは複数のサブフレームの間ＭＴＣ情報を通信し、第２の基地局は同じフレーム内の１つまたは複数の異なるサブフレームの間ＭＴＣ情報を通信する。ブロック１５１０において、１つまたは複数のサブフレームの間、ＭＴＣ用の第１の基地局によってサポートされるチャネルを介して、ＭＴＣ情報が送信される。
【０１０２】
[0130]方法１５００のいくつかの実施形態では、第１の基地局は、異種ネットワーク内のスモールセル（たとえば、ＬＰＮ）に対応し、第２の基地局は、異種ネットワーク内のマクロセルに対応する。別の実施形態では、方法は、１つまたは複数のサブフレームのうちの１つのサブフレームの間、ＭＴＣ情報を通信するためのリソースブロックの第１のセットを割り当てることと、１つまたは複数のサブフレームのうちの別のサブフレームの間、ＭＴＣ情報を通信するための、リソースブロックの第１のセットとは異なるリソースブロックの第２のセットを割り当てることとを含む。別の実施形態では、方法は、第１の基地局の負荷に少なくとも部分的に基づいて、第１の基地局によりＭＴＣ情報を通信するための期間を調整することを含む。さらに別の実施形態では、１つまたは複数の異なるサブフレームの間のＭＴＣに割り当てられたリソースブロックのセットの間、情報が通信されないように第２の基地局が使用不可にされ、方法は、１つまたは複数の異なるサブフレーム内のリソースのセットの間、ＭＴＣ情報を通信するために第１の基地局を使用可能にすることを含む。さらに別の実施形態では、調整情報に少なくとも部分的に基づいて、第１の基地局および第２の基地局は、ＭＴＣに割り当てられたリソースブロックの対応するセット内で、実質的に同じ電力でＭＴＣ情報を通信する。
【０１０３】
[0131]次に図１６を参照すると、ＭＴＣ関連付け方式のための例示的な方法１６００のフローチャートが示される。方法１６００は、たとえば、図１のワイヤレス通信システム１００と図２Ａおよび図２Ｂに示されたそれらの部分、ならびに／または図１、図２Ａ、図２Ｂ、図７Ａ、図７Ｂ、および図９のＭＴＣ  ＵＥ１１５、２１５、７１５、および９１５を使用して、実施される場合がある。
【０１０４】
[0132]ブロック１６０５において、フレーム内の１つまたは複数のサブフレームの間で第１の基地局から、および同じフレーム内の１つまたは複数の異なるサブフレームの間で第２の基地局から、ユーザ機器でＭＴＣ情報が受信される。ブロック１６１０において、第１の基地局から受信されたＭＴＣ情報に少なくとも部分的に基づいて、第１の基地局用の第１のチャネル基準値が決定される。ブロック１６１５において、第２の基地局から受信されたＭＴＣ情報に少なくとも部分的に基づいて、第２の基地局用の第２のチャネル基準値が決定される。ブロック１６２０において、ユーザ機器との関連付けのために第１の基地局および第２の基地局のうちの１つが選択され、ここで、選択は、第１のチャネル基準値および第２のチャネル基準値に少なくとも部分的に基づく。
【０１０５】
[0133]図１７を参照すると、ＭＴＣ関連付け方式のための例示的な方法１７００のフローチャートが示される。方法１７００は、上記の方法１６００と同様に、たとえば、図１のワイヤレス通信システム１００と図２Ａおよび図２Ｂに示されたそれらの部分、ならびに／または図１、図２Ａ、図２Ｂ、図７Ａ、図７Ｂ、および図９のＭＴＣ  ＵＥ１１５、２１５、７１５、および９１５を使用して、実施される場合がある。
【０１０６】
[0134]ブロック１７０５において、フレーム内の１つまたは複数のサブフレームの間で第１の基地局から、および同じフレーム内の１つまたは複数の異なるサブフレームの間で第２の基地局から、ユーザ機器でＭＴＣ情報が受信される。ブロック１７１０において、第１の基地局から受信されたＭＴＣ情報に少なくとも部分的に基づいて、第１の基地局について第１の経路損失が決定される。ブロック１７１５において、第２の基地局から受信されたＭＴＣ情報に少なくとも部分的に基づいて、第２の基地局について第２の経路損失が決定される。ブロック１７２０において、第１の経路損失が第２の経路損失よりも小さいとき、ユーザ機器との関連付けのために第１の基地局が選択される。
【０１０７】
[0135]次に図１８を参照すると、ＭＴＣ関連付け方式のための例示的な方法１８００のフローチャートが示される。方法１８００は、上記の方法１６００および１７００と同様に、たとえば、図１のワイヤレス通信システム１００と図２Ａおよび図２Ｂに示されたそれらの部分、ならびに／または図１、図２Ａ、図２Ｂ、図７Ａ、図７Ｂ、および図９のＭＴＣ  ＵＥ１１５、２１５、７１５、および９１５を使用して、実施される場合がある。
【０１０８】
[0136]ブロック１８０５において、フレーム内の１つまたは複数のサブフレームの間で第１の基地局から、および同じフレーム内の１つまたは複数の異なるサブフレームの間で第２の基地局から、ユーザ機器でＭＴＣ情報が受信される。ブロック１８１０において、第１の基地局から受信されたＭＴＣ情報に少なくとも部分的に基づいて、第１の基地局について第１の信号強度が決定される。ブロック１８１５において、第２の基地局から受信されたＭＴＣ情報に少なくとも部分的に基づいて、第２の基地局について第２の信号強度が決定される。ブロック１８２０において、第１の信号強度が第２の信号強度よりも大きいとき、ユーザ機器との関連付けのために第１の基地局が選択される。
【０１０９】
[0137]次に図１９を参照すると、ＭＴＣプロファイルに基づいてＭＴＣ接続を交渉するための例示的な方法１９００のフローチャートが示される。方法１９００は、たとえば、図１のワイヤレス通信システム１００と図２Ａおよび図２Ｂに示されたそれらの部分、図８Ａおよび図８Ｂのデバイス８００および８２０、ならびに／または図１、図２Ａ、図２Ｂ、図７Ａ、図７Ｂ、および図９のＭＴＣ  ＵＥ１１５、２１５、７１５、および９１５を使用して、実施される場合がある。
【０１１０】
[0138]ブロック１９０５において、基地局（たとえば、基地局１０５、２０５、２２０、７０５、１００５、および１１１０）またはセルから、第１のＲＲＣプロファイルメッセージが受信される場合があり、ここで、第１のＲＲＣプロファイルメッセージは、基地局によってサポートされるＭＴＣプロファイルのセットを含む。第１のＲＲＣプロファイルメッセージは、基地局との関連付け後、または基地局との関連付けとともに、基地局によってブロードキャストされる場合がある。ブロック１９１０において、基地局に第２のＲＲＣプロファイルメッセージが送信される場合があり、ここで、第２のＲＲＣプロファイルメッセージは、ＭＴＣデバイス（たとえば、ＭＴＣ  ＵＥ）によってサポートされるＭＴＣプロファイルのセットを含む。ブロック１９１５において、ＭＴＣデバイスによってサポートされるセット内のＭＴＣプロファイルと互換性のある、基地局によってサポートされるセット内のＭＴＣプロファイルを決定するために、交渉が行われる場合がある。ブロック１９２０において、互換性のあるＭＴＣプロファイルを使用して、基地局との接続が確立される場合がある。確立された接続により、基地局とのＭＴＣ通信が可能になる。
【０１１１】
[0139]方法１９００のいくつかの実施形態では、基地局によってサポートされるＭＴＣプロファイルのセットを要求するために、基地局にＲＲＣ要求メッセージが送信される。ＲＲＣ要求メッセージに応答して、基地局から第１のＲＲＣプロファイルメッセージが受信される。ＲＲＣ要求メッセージの送信は、たとえば、ＲＲＣ接続セットアップメッセージまたはＲＲＣ再構成メッセージの一部であり得る。
【０１１２】
[0140]方法１９００のいくつかの実施形態では、第１のＲＲＣプロファイルメッセージは、基地局によってブロードキャストされるＲＲＣメッセージであり、基地局によってサポートされるＭＴＣプロファイルのセットは、ＲＲＣブロードキャストメッセージ内の１つまたは複数のＳＩＢに含まれる。
【０１１３】
[0141]方法１９００のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１１４】
[0142]方法１９００のいくつかの実施形態では、基地局にＲＲＣ拒絶メッセージが送信され、ここで、ＲＲＣ拒絶メッセージは、交渉がＭＴＣデバイスと基地局との間の互換性のないＭＴＣプロファイルをもたらしたとき、ＭＴＣデバイスが基地局との接続を拒絶することを示す。
【０１１５】
[0143]方法１９００のいくつかの実施形態では、第１のＲＲＣプロファイルメッセージ内で受信された１つまたは複数のビットから、基地局によってサポートされるセット内のＭＴＣプロファイルの各々が識別される。
【０１１６】
[0144]方法１９００のいくつかの実施形態では、基地局は、ＭＴＣ通信をサポートする複数の基地局を有する異種ネットワーク内の第１の基地局であり、方法１９００はまた、交渉がＭＴＣデバイスと第１の基地局との間の互換性のないＭＴＣプロファイルをもたらしたとき、ＭＴＣデバイスが第１の基地局との接続を拒絶することを示すＲＲＣ拒絶メッセージを第１の基地局に送信することと、ＭＴＣデバイスが次に関連付けるべき異種ネットワークからの第２の基地局を識別することとを含む。たとえば、第１の基地局は、異種ネットワーク内のスモールセルに対応する場合があり、第２の基地局は、異種ネットワーク内のマクロセルに対応する場合がある。別の例では、たとえば、第１の基地局は、異種ネットワーク内のマクロセルに対応する場合があり、第２の基地局は、異種ネットワーク内のスモールセルに対応する場合がある。
【０１１７】
[0145]図２０を参照すると、ＭＴＣプロファイルに基づいてＭＴＣ接続を交渉するための例示的な方法２０００のフローチャートが示される。方法２０００は、上記の方法１９００と同様に、たとえば、図１のワイヤレス通信システム１００と図２Ａおよび図２Ｂに示されたそれらの部分、図８Ａおよび図８Ｂのデバイス８００および８２０、ならびに／または図１、図２Ａ、図２Ｂ、図７Ａ、図７Ｂ、および図９のＭＴＣ  ＵＥ１１５、２１５、７１５、および９１５を使用して、実施される場合がある。
【０１１８】
[0146]ブロック２００５において、基地局によってサポートされるＭＴＣプロファイルのセットを要求するために、基地局（たとえば、基地局１０５、２０５、２２０、７０５、１００５、および１１１０）またはセルに、ＲＲＣ要求メッセージが送信される場合がある。ブロック２０１０において、基地局から第１のＲＲＣプロファイルメッセージが受信される場合があり、ここで、第１のＲＲＣプロファイルメッセージは、基地局によってサポートされるＭＴＣプロファイルのセットを含む。第１のＲＲＣプロファイルメッセージは、ＲＲＣ要求メッセージに応答して受信される場合がある。ブロック２０１５において、基地局に第２のＲＲＣプロファイルメッセージが送信される場合があり、ここで、第２のＲＲＣプロファイルメッセージは、ＭＴＣデバイス（たとえば、ＭＴＣ  ＵＥ）によってサポートされるＭＴＣプロファイルのセットを含む。ブロック２０２０において、ＭＴＣデバイスによってサポートされるセット内のＭＴＣプロファイルと互換性のある、基地局によってサポートされるセット内のＭＴＣプロファイルを決定するために、交渉が行われる場合がある。ブロック２０２５において、互換性のあるＭＴＣプロファイルを使用して、基地局との接続が確立される場合がある。確立された接続により、基地局とのＭＴＣ通信が可能になる。
【０１１９】
[0147]図２１を参照すると、ＭＴＣプロファイルに基づいてＭＴＣ接続を交渉するための例示的な方法２１００のフローチャートが示される。方法２１００は、上記の方法１９００および２０００と同様に、たとえば、図１のワイヤレス通信システム１００と図２Ａおよび図２Ｂに示されたそれらの部分、図８Ａおよび図８Ｂのデバイス８００および８２０、ならびに／または図１、図２Ａ、図２Ｂ、図７Ａ、図７Ｂ、および図９のＭＴＣ  ＵＥ１１５、２１５、７１５、および９１５を使用して、実施される場合がある。
【０１２０】
[0148]ブロック２１０５において、基地局によってサポートされるＭＴＣプロファイルのセットを要求するために、基地局（たとえば、基地局１０５、２０５、２２０、７０５、１００５、および１１１０）またはセルに、ＲＲＣ要求メッセージが送信される場合がある。ブロック２１１０において、基地局から第１のＲＲＣプロファイルメッセージが受信される場合があり、ここで、第１のＲＲＣプロファイルメッセージは、基地局によってサポートされるＭＴＣプロファイルのセットを含む。第１のＲＲＣプロファイルメッセージは、ＲＲＣ要求メッセージに応答して受信される場合がある。ブロック２１１５において、第１のＲＲＣプロファイルメッセージ内で受信された１つまたは複数のビットから、基地局によってサポートされるＭＴＣプロファイルの各々が識別される場合がある。たとえば、１つまたは複数のビットは１つまたは複数のＭＴＣプロファイルを表すために使用される場合があり、テーブルまたは同様の構造は、表されるＭＴＣプロファイルと、それらの対応する特性および／またはパラメータとを識別するために使用される場合がある。
【０１２１】
[0149]ブロック２１２０において、基地局に第２のＲＲＣプロファイルメッセージが送信される場合があり、ここで、第２のＲＲＣプロファイルメッセージは、ＭＴＣデバイス（たとえば、ＭＴＣ  ＵＥ）によってサポートされるＭＴＣプロファイルのセットを含む。ブロック２１２５において、ＭＴＣデバイスによってサポートされるセット内のＭＴＣプロファイルと互換性のある、基地局によってサポートされるセット内のＭＴＣプロファイルを決定するために、交渉が行われる場合がある。ブロック２１３０において、互換性のあるＭＴＣプロファイルを使用して、基地局との接続が確立される場合がある。確立された接続により、基地局とのＭＴＣ通信が可能になる。交渉が互換性のないＭＴＣプロファイルをもたらしたとき、基地局にＲＲＣ拒絶メッセージが送信される場合があり、ここで、ＲＲＣ拒絶メッセージは、ＭＴＣデバイスが基地局との接続を拒絶することを示す。
【０１２２】
[0150]次に図２２を参照すると、ＭＴＣプロファイルに基づいてＭＴＣ接続を交渉するための例示的な方法２２００のフローチャートが示される。方法２２００は、たとえば、図１のワイヤレス通信システム１００と図２Ａおよび図２Ｂに示されたそれらの部分、図８Ａおよび図８Ｂのデバイス８００および８２０、ならびに／または図１、図２Ａ、図２Ｂ、図７Ａ、図７Ｂ、図１０、および図１１の基地局１０５、２０５、２２０、７０５、１００５、および１１１０を使用して、実施される場合がある。
【０１２３】
[0151]ブロック２２０５において、ＭＴＣデバイス（たとえば、ＭＴＣ  ＵＥ１１５、２１５、７１５、および９１５）に、第１のＲＲＣプロファイルメッセージが送信される場合があり、ここで、第１のＲＲＣプロファイルメッセージは、基地局によってサポートされるＭＴＣプロファイルのセットを含む。第１のＲＲＣプロファイルメッセージは、ＭＴＣデバイスとの関連付け後、またはＭＴＣデバイスとの関連付けとともに、ＭＴＣデバイスにブロードキャストされる場合がある。ブロック２２１０において、ＭＴＣデバイスから第２のＲＲＣプロファイルメッセージが受信される場合があり、ここで、第２のＲＲＣプロファイルメッセージは、ＭＴＣデバイスによってサポートされるＭＴＣプロファイルのセットを含む。ブロック２２１５において、ＭＴＣデバイスによってサポートされるセット内のＭＴＣプロファイルと互換性のある、基地局によってサポートされるセット内のＭＴＣプロファイルを決定するために、交渉が行われる場合がある。ブロック２２２０において、互換性のあるＭＴＣプロファイルを使用して、ＭＴＣデバイスとの接続が確立される場合がある。確立された接続により、ＭＴＣデバイスとのＭＴＣ通信が可能になる。
【０１２４】
[0152]方法２２００のいくつかの実施形態では、基地局によってサポートされるＭＴＣプロファイルのセットを要求するために、ＭＴＣデバイスからＲＲＣ要求メッセージが受信される。ＲＲＣ要求メッセージに応答して、ＭＴＣデバイスに第１のＲＲＣプロファイルメッセージが送信される。ＲＲＣ要求メッセージは、ＲＲＣ接続セットアップメッセージの一部として、またはＲＲＣ再構成メッセージの一部として受信される場合がある。
【０１２５】
[0153]方法２２００のいくつかの実施形態では、第１のＲＲＣプロファイルメッセージは、基地局によってブロードキャストされるＲＲＣメッセージであり、方法２２００はまた、ＲＲＣブロードキャストメッセージ内の１つまたは複数のＳＩＢ内の基地局によってサポートされるＭＴＣプロファイルのセットを提供することを含む。
【０１２６】
[0154]方法２２００のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１２７】
[0155]方法２２００のいくつかの実施形態では、交渉がＭＴＣデバイスと基地局との間の互換性のないＭＴＣプロファイルをもたらしたとき、ＭＴＣデバイスが基地局との接続を拒絶することを示すために、ＭＴＣデバイスからＲＲＣ拒絶メッセージが受信される。
【０１２８】
[0156]方法２２００のいくつかの実施形態では、基地局によってサポートされるセット内のＭＴＣプロファイルを表すために、第１のＲＲＣプロファイルメッセージ内の１つまたは複数のビットが割り当てられる場合がある。
【０１２９】
[0157]図２３を参照すると、ＭＴＣプロファイルに基づいてＭＴＣ接続を交渉するための例示的な方法２３００のフローチャートが示される。方法２３００は、上記の方法２２００と同様に、たとえば、図１のワイヤレス通信システム１００と図２Ａおよび図２Ｂに示されたそれらの部分、図８Ａおよび図８Ｂのデバイス８００および８２０、ならびに／または図１、図２Ａ、図２Ｂ、図７Ａ、図７Ｂ、図１０、および図１１の基地局１０５、２０５、２２０、７０５、１００５、および１１１０を使用して、実施される場合がある。
【０１３０】
[0158]ブロック２３０５において、基地局によってサポートされるＭＴＣプロファイルのセットを要求するために、ＭＴＣデバイス（たとえば、ＭＴＣ  ＵＥ１１５、２１５、７１５、および９１５）からＲＲＣ要求メッセージが受信される場合がある。ブロック２３１０において、ＭＴＣデバイスに第１のＲＲＣプロファイルメッセージが送信される場合があり、ここで、第１のＲＲＣプロファイルメッセージは、基地局によってサポートされるＭＴＣプロファイルのセットを含む。第１のＲＲＣプロファイルメッセージは、ＲＲＣ要求メッセージに応答して送信される場合がある。ブロック２３１５において、ＭＴＣデバイスから第２のＲＲＣプロファイルメッセージが受信される場合があり、ここで、第２のＲＲＣプロファイルメッセージは、ＭＴＣデバイスによってサポートされるＭＴＣプロファイルのセットを含む。ブロック２３２０において、ＭＴＣデバイスによってサポートされるセット内のＭＴＣプロファイルと互換性のある、基地局によってサポートされるセット内のＭＴＣプロファイルを決定するために、交渉が行われる場合がある。ブロック２３２５において、互換性のあるＭＴＣプロファイルを使用して、ＭＴＣデバイスとの接続が確立される場合がある。確立された接続により、ＭＴＣデバイスとのＭＴＣ通信が可能になる。
【０１３１】
[0159]図２４を参照すると、ＭＴＣプロファイルに基づいてＭＴＣ接続を交渉するための例示的な方法２４００のフローチャートが示される。方法２４００は、上記の方法２２００および２３００と同様に、たとえば、図１のワイヤレス通信システム１００と図２Ａおよび図２Ｂに示されたそれらの部分、図８Ａおよび図８Ｂのデバイス８００および８２０、ならびに／または図１、図２Ａ、図２Ｂ、図７Ａ、図７Ｂ、図１０、および図１１の基地局１０５、２０５、２２０、７０５、１００５、および１１１０を使用して、実施される場合がある。
【０１３２】
[0160]ブロック２４０５において、基地局によってサポートされるＭＴＣプロファイルのセットを要求するために、ＭＴＣデバイス（たとえば、ＭＴＣ  ＵＥ１１５、２１５、７１５、および９１５）から、ＲＲＣ要求メッセージが受信される場合がある。ブロック２４１０において、基地局によってサポートされるセット内のＭＴＣプロファイルを表すために、第１のＲＲＣプロファイルメッセージ内の１つまたは複数のビットが割り当てられる場合がある。ブロック２４１５において、ＭＴＣデバイスに第１のＲＲＣプロファイルメッセージが送信される場合があり、ここで、第１のＲＲＣプロファイルメッセージは、基地局によってサポートされるＭＴＣプロファイルのセットを表す１つまたは複数のビットを含む。第１のＲＲＣプロファイルメッセージは、ＲＲＣ要求メッセージに応答して送信される場合がある。ブロック２４２０において、ＭＴＣデバイスから第２のＲＲＣプロファイルメッセージが受信される場合があり、ここで、第２のＲＲＣプロファイルメッセージは、ＭＴＣデバイスによってサポートされるＭＴＣプロファイルのセットを含む。ブロック２４２５において、ＭＴＣデバイスによってサポートされるセット内のＭＴＣプロファイルと互換性のある、基地局によってサポートされるセット内のＭＴＣプロファイルを決定するために、交渉が行われる場合がある。ブロック２４３０において、互換性のあるＭＴＣプロファイルを使用して、ＭＴＣデバイスとの接続が確立される場合がある。確立された接続により、ＭＴＣデバイスとのＭＴＣ通信が可能になる。
【０１３３】
[0161]添付の図面に関して上記に記載された発明を実施するための形態は、例示的な実施形態を記載しており、実装され得る、または特許請求の範囲内に入る実施形態のみを表すものではない。この明細書全体にわたって使用される「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１３４】
[0162]情報および信号は、多種多様な技術および技法のいずれかを使用して表され得る。たとえば、上記の説明全体にわたって言及され得るデータ、命令、命令、情報、信号、ビット、シンボル、およびチップは、電圧、電流、電磁波、磁場もしくは磁性粒子、光場もしくは光学粒子、またはそれらの任意の組合せによって表され得る。
【０１３５】
[0163]本明細書の開示に関して記載された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載された機能を実施するように設計されたそれらの任意の組合せを用いて、実装または実施される場合がある。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装される場合がある。
【０１３６】
[0164]本明細書に記載された機能は、ハードウェア、プロセッサによって実行されるソフトウェア、ファームウェア、またはそれらの任意の組合せに実装される場合がある。プロセッサによって実行されるソフトウェアに実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲内および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が様々な物理的位置に実装されるように分散されることを含めて、様々な位置に物理的に配置される場合がある。また、特許請求の範囲を含めて、本明細書で使用される場合、「のうちの少なくとも１つ」で終わる項目の列挙内で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１３７】
[0165]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得るし、汎用もしくは専用のコンピュータ、または汎用もしくは専用のプロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１３８】
[0166]本開示のこれまでの説明は、当業者が本開示を作成または使用することを可能にするために提供される。本開示への様々な修正は当業者には容易に明らかであり、本明細書で定義された一般原理は、本開示の趣旨または範囲から逸脱することなく、他の変形形態に適用される場合がある。本開示全体にわたって、「例」または「例示的」という用語は、一例または一事例を示すものであり、言及された例についてのいかなる選好も暗示しないか、または必要としない。したがって、本開示は、本明細書に記載された例および設計に限定されるべきでなく、本明細書で開示される原理および新規の特徴に合致する最も広い範囲を与えられるべきである。
【０１３９】
[0167]ワイヤレス通信のためのさらなる方法、装置、およびコンピュータプログラム製品が記載される。たとえば、方法は、ユーザ機器で、フレーム内の１つまたは複数のサブフレームの間で第１の基地局から、および同じフレーム内の１つまたは複数の異なるサブフレームの間で第２の基地局からＭＴＣ情報を受信することを含む。方法はまた、第１の基地局から受信されたＭＴＣ情報に少なくとも部分的に基づいて、第１の基地局用の第１のチャネル基準値を決定することと、第２の基地局から受信されたＭＴＣ情報に少なくとも部分的に基づいて、第２の基地局用の第２のチャネル基準値を決定することとを含む。方法はさらに、ユーザ機器との関連付けのために、第１の基地局および第２の基地局のうちの１つを選択することを含み、ここで、その選択は、第１のチャネル基準値および第２のチャネル基準値に少なくとも部分的に基づく。いくつかの実施形態では、第１の基地局は、異種ネットワーク内のスモールセルに対応する場合があり、第２の基地局は、異種ネットワーク内のマクロセルに対応する場合がある。いくつかの実施形態では、第１のチャネル基準値は第１の経路損失であり得るし、第２のチャネル基準値は第２の経路損失であり得るし、方法は、第１の経路損失が第２の経路損失よりも小さいとき、ユーザ機器との関連付けのために第１の基地局を選択することを含む場合がある。いくつかの実施形態では、第１のチャネル基準値は第１の信号強度であり得るし、第２のチャネル基準値は第２の信号強度であり得るし、方法は、第１の信号強度が第２の信号強度よりも大きいとき、ユーザ機器との関連付けのために第１の基地局を選択することを含む場合がある。
【０１４０】
[0168]ワイヤレス通信のための装置は、ユーザ機器で、フレーム内の１つまたは複数のサブフレームの間で第１の基地局から、および同じフレーム内の１つまたは複数の異なるサブフレームの間で第２の基地局からＭＴＣ情報を受信するための手段を含む。装置はまた、第１の基地局から受信されたＭＴＣ情報に少なくとも部分的に基づいて、第１の基地局用の第１のチャネル基準値を決定するための手段を含む。装置はまた、第２の基地局から受信されたＭＴＣ情報に少なくとも部分的に基づいて、第２の基地局用の第２のチャネル基準値を決定するための手段を含む。装置はさらに、ユーザ機器との関連付けのために、第１の基地局および第２の基地局のうちの１つを選択するための手段を含み、ここで、その選択は、第１のチャネル基準値および第２のチャネル基準値に少なくとも部分的に基づく。いくつかの実施形態では、第１の基地局は、異種ネットワーク内のスモールセルに対応する場合があり、第２の基地局は、異種ネットワーク内のマクロセルに対応する場合がある。いくつかの実施形態では、第１のチャネル基準値は第１の経路損失であり得るし、第２のチャネル基準値は第２の経路損失であり得るし、装置はさらに、第１の経路損失が第２の経路損失よりも小さいとき、ユーザ機器との関連付けのために第１の基地局を選択するための手段を含む。いくつかの実施形態では、第１のチャネル基準値は第１の信号強度であり得るし、第２のチャネル基準値は第２の信号強度であり得るし、装置はさらに、第１の信号強度が第２の信号強度よりも大きいとき、ユーザ機器との関連付けのために第１の基地局を選択するための手段を含む。
【０１４１】
[0169]ワイヤレス通信のための装置は、ユーザ機器で、フレーム内の１つまたは複数のサブフレームの間で第１の基地局から、および同じフレーム内の１つまたは複数の異なるサブフレームの間で第２の基地局からＭＴＣ情報を受信するように構成された受信機モジュールを含む。装置はまた、第１の基地局から受信されたＭＴＣ情報に少なくとも部分的に基づいて、第１の基地局用の第１のチャネル基準値を決定し、第２の基地局から受信されたＭＴＣ情報に少なくとも部分的に基づいて、第２の基地局用の第２のチャネル基準値を決定し、ユーザ機器との関連付けのために、第１の基地局および第２の基地局のうちの１つを選択するように構成されたＭＴＣモジュールを含み、ここで、その選択は、第１のチャネル基準値および第２のチャネル基準値に少なくとも部分的に基づく。いくつかの実施形態では、第１の基地局は、異種ネットワーク内のスモールセルに対応する場合があり、第２の基地局は、異種ネットワーク内のマクロセルに対応する場合がある。いくつかの実施形態では、第１のチャネル基準値は第１の経路損失であり得るし、第２のチャネル基準値は第２の経路損失であり得るし、ＭＴＣモジュールは、第１の経路損失が第２の経路損失よりも小さいとき、ユーザ機器との関連付けのために第１の基地局を選択するようにさらに構成される場合がある。いくつかの実施形態では、第１のチャネル基準値は第１の信号強度であり得るし、第２のチャネル基準値は第２の信号強度であり得るし、ＭＴＣモジュールは、第１の信号強度が第２の信号強度よりも大きいとき、ユーザ機器との関連付けのために第１の基地局を選択するようにさらに構成される場合がある。
【０１４２】
[0170]コンピュータプログラム製品は、ユーザ機器で、フレーム内の１つまたは複数のサブフレームの間で第１の基地局から、および同じフレーム内の１つまたは複数の異なるサブフレームの間で第２の基地局からＭＴＣ情報を受信することを少なくとも１つのコンピュータに行わせるためのコードを有する、非一時的コンピュータ可読媒体を含む。非一時的コンピュータ可読媒体はまた、第１の基地局から受信されたＭＴＣ情報に少なくとも部分的に基づいて、第１の基地局用の第１のチャネル基準値を決定することを少なくとも１つのコンピュータに行わせるためのコードを有する。非一時的コンピュータ可読媒体はまた、第２の基地局から受信されたＭＴＣ情報に少なくとも部分的に基づいて、第２の基地局用の第２のチャネル基準値を決定することを少なくとも１つのコンピュータに行わせるためのコードを有する。非一時的コンピュータ可読媒体はさらに、ユーザ機器との関連付けのために、第１の基地局および第２の基地局のうちの１つを選択することを少なくとも１つのコンピュータに行わせるためのコードを有し、ここで、その選択は、第１のチャネル基準値および第２のチャネル基準値に少なくとも部分的に基づく。いくつかの実施形態では、第１の基地局は、異種ネットワーク内のスモールセルに対応する場合があり、第２の基地局は、異種ネットワーク内のマクロセルに対応する場合がある。いくつかの実施形態では、第１のチャネル基準値は第１の経路損失であり得るし、第２のチャネル基準値は第２の経路損失であり得るし、非一時的コンピュータ可読媒体は、第１の経路損失が第２の経路損失よりも小さいとき、ユーザ機器との関連付けのために第１の基地局を選択することを少なくとも１つのコンピュータに行わせるためのコードを有する場合がある。いくつかの実施形態では、第１のチャネル基準値は第１の信号強度であり得るし、第２のチャネル基準値は第２の信号強度であり得るし、非一時的コンピュータ可読媒体は、第１の信号強度が第２の信号強度よりも大きいとき、ユーザ機器との関連付けのために第１の基地局を選択することを少なくとも１つのコンピュータに行わせるためのコードを有する場合がある。
【０１４３】
[0171]ＭＴＣデバイスがＭＴＣ通信用の関連付けられたセルまたは基地局との通信を交渉することができる、ワイヤレス通信のためのさらなる方法および装置が記載される。ロングタームエボリューション（ＬＴＥ）異種ネットワークでは、ＭＴＣデバイスは、セルによってサポートされる狭帯域ＭＴＣチャネルを使用して、マクロセルまたはスモールセルと関連付けることができる。セルのうちの１つと関連付けた後、ＭＴＣデバイスは、関連付けられたセル（たとえば、基地局）から、そのセルによってサポートされるＭＴＣプロファイルについての情報を含む無線リソース制御（ＲＲＣ）メッセージを受信することができる。場合によっては、関連付けられたセルからのＲＲＣメッセージは、ＭＴＣデバイスによって行われた要求に応答する。ＭＴＣデバイスは、ＭＴＣデバイスによってサポートされるＭＴＣプロファイルについての情報を有するＲＲＣメッセージをセルに送信することができる。ＭＴＣデバイスおよびセルは、それらの間のＭＴＣ通信を可能にする接続を確立するために、互換性のあるＭＴＣプロファイルを決定するために交渉することができる。ＭＴＣプロファイルが互換性のないことを交渉からの結果が示したとき、ＭＴＣデバイスは、ＲＲＣ拒絶メッセージをセルに送ることができ、ＭＴＣ通信用の接続を確立するために、ＬＴＥ異種ネットワーク内の別のセルと関連付けることができる。
【０１４４】
[0172]ワイヤレス通信のための方法は、基地局から第１のＲＲＣプロファイルメッセージを受信することを含み、ここで、第１のＲＲＣプロファイルメッセージは、基地局によってサポートされるＭＴＣプロファイルのセットを含む。方法は、基地局に第２のＲＲＣプロファイルメッセージを送信することを含み、ここで、第２のＲＲＣプロファイルメッセージは、ＭＴＣデバイスによってサポートされるＭＴＣプロファイルのセットを含む。方法はまた、ＭＴＣデバイスによってサポートされるセット内のＭＴＣプロファイルと互換性のある、基地局によってサポートされるセット内のＭＴＣプロファイルを決定するために、基地局と交渉することを含む。方法はさらに、互換性のあるＭＴＣプロファイルを利用して、基地局との接続を確立することを含む。
【０１４５】
[0173]方法のいくつかの実施形態では、方法は、基地局によってサポートされるＭＴＣプロファイルのセットを要求するためにＲＲＣ要求メッセージを基地局に送信することを含み、受信することは、ＲＲＣ要求メッセージに応答する基地局からの第１のＲＲＣプロファイルメッセージを受信することを含む。送信することは、ＲＲＣ接続セットアップメッセージの一部として、またはＲＲＣ再構成メッセージの一部として、ＲＲＣ要求メッセージを基地局に送信することを含む。第１のＲＲＣプロファイルメッセージは、基地局によってブロードキャストされるＲＲＣメッセージであり得るし、基地局によってサポートされるＭＴＣプロファイルのセットは、ＲＲＣブロードキャストメッセージ内の１つまたは複数のシステム情報ブロック（ＳＩＢ）に含まれる場合がある。
【０１４６】
[0174]方法のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１４７】
[0175]方法のいくつかの実施形態では、方法は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、基地局に送信することを含む。方法のいくつかの実施形態では、方法は、第１のＲＲＣプロファイルメッセージ内で受信された１つまたは複数のビットから、基地局によってサポートされるセット内のＭＴＣプロファイルの各々を識別することを含む。
【０１４８】
[0176]方法のいくつかの実施形態では、基地局は、ＭＴＣ通信をサポートする複数の基地局を有する異種ネットワーク内の第１の基地局であり、方法は、交渉がＭＴＣデバイスと第１の基地局との間の互換性のないＭＴＣプロファイルをもたらしたとき、ＭＴＣデバイスが第１の基地局との接続を拒絶することを示すＲＲＣ拒絶メッセージを第１の基地局に送信することと、ＭＴＣデバイスが次に関連付けるべき異種ネットワークからの第２の基地局を識別することとを含む。一例では、第１の基地局は、異種ネットワーク内のスモールセルに対応する場合があり、第２の基地局は、異種ネットワーク内のマクロセルに対応する。別の例では、第１の基地局は、異種ネットワーク内のマクロセルに対応する場合があり、第２の基地局は、異種ネットワーク内のスモールセルに対応する。
【０１４９】
[0177]ワイヤレス通信のための方法は、ＭＴＣデバイスに第１のＲＲＣプロファイルメッセージを送信することを含み、ここで、第１のＲＲＣプロファイルメッセージは、基地局によってサポートされるＭＴＣプロファイルのセットを含む。方法は、ＭＴＣデバイスから第２のＲＲＣプロファイルメッセージを受信することを含み、ここで、第２のＲＲＣプロファイルメッセージは、ＭＴＣデバイスによってサポートされるＭＴＣプロファイルのセットを含む。方法はまた、ＭＴＣデバイスによってサポートされるセット内のＭＴＣプロファイルと互換性のある、基地局によってサポートされるセット内のＭＴＣプロファイルを決定するために、ＭＴＣデバイスと交渉することを含む。方法はさらに、互換性のあるＭＴＣプロファイルを利用して、ＭＴＣデバイスとの接続を確立することを含む。
【０１５０】
[0178]方法のいくつかの実施形態では、方法は、基地局によってサポートされるＭＴＣプロファイルのセットを要求するためにＲＲＣ要求メッセージをＭＴＣデバイスから受信することを含み、送信することは、ＲＲＣ要求メッセージに応答してＭＴＣデバイスに第１のＲＲＣプロファイルメッセージを送信することを含む。方法のいくつかの実施形態では、受信することは、ＲＲＣ接続セットアップメッセージの一部として、またはＲＲＣ再構成メッセージの一部として、ＲＲＣ要求メッセージをＭＴＣデバイスから受信することを含む。第１のＲＲＣプロファイルメッセージは、基地局によってブロードキャストされるＲＲＣメッセージであり得るし、方法は、ＲＲＣブロードキャストメッセージ内の１つまたは複数のＳＩＢ内の基地局によってサポートされるＭＴＣプロファイルのセットを提供することを含む。
【０１５１】
[0179]方法のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１５２】
[0180]方法のいくつかの実施形態では、方法は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、ＭＴＣデバイスから受信することを含む。方法のいくつかの実施形態では、方法は、基地局によってサポートされるセット内のＭＴＣプロファイルを表すために、第１のＲＲＣプロファイルメッセージ内の１つまたは複数のビットを割り当てることを含む。
【０１５３】
[0181]ワイヤレス通信のための装置は、基地局から第１のＲＲＣプロファイルメッセージを受信するための手段を含み、ここで、第１のＲＲＣプロファイルメッセージは、基地局によってサポートされるＭＴＣプロファイルのセットを含む。装置は、基地局に第２のＲＲＣプロファイルメッセージを送信するための手段を含み、ここで、第２のＲＲＣプロファイルメッセージは、ＭＴＣデバイスによってサポートされるＭＴＣプロファイルのセットを含む。装置はまた、ＭＴＣデバイスによってサポートされるセット内のＭＴＣプロファイルと互換性のある、基地局によってサポートされるセット内のＭＴＣプロファイルを決定するために、基地局と交渉するための手段を含む。装置はさらに、互換性のあるＭＴＣプロファイルを利用して、基地局との接続を確立するための手段を含む。
【０１５４】
[0182]装置のいくつかの実施形態では、送信するための手段は、基地局によってサポートされるＭＴＣプロファイルのセットを要求するためにＲＲＣ要求メッセージを基地局に送信するための手段を含み、受信するための手段は、ＲＲＣ要求メッセージに応答する基地局からの第１のＲＲＣプロファイルメッセージを受信するための手段を含む。装置のいくつかの実施形態では、送信するための手段は、ＲＲＣ接続セットアップメッセージの一部として、またはＲＲＣ再構成メッセージの一部として、ＲＲＣ要求メッセージを基地局に送信するための手段を含む。第１のＲＲＣプロファイルメッセージは、基地局によってブロードキャストされるＲＲＣメッセージであり得るし、基地局によってサポートされるＭＴＣプロファイルのセットは、ＲＲＣブロードキャストメッセージ内の１つまたは複数のＳＩＢに含まれる場合がある。
【０１５５】
[0183]装置のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１５６】
[0184]装置のいくつかの実施形態では、送信するための手段は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、基地局に送信するための手段を含む。装置のいくつかの実施形態では、装置は、第１のＲＲＣプロファイルメッセージ内で受信された１つまたは複数のビットから、基地局によってサポートされるセット内のＭＴＣプロファイルの各々を識別するための手段を含む。
【０１５７】
[0185]装置のいくつかの実施形態では、基地局は、ＭＴＣ通信をサポートする複数の基地局を有する異種ネットワーク内の第１の基地局であり、送信するための手段は、交渉がＭＴＣデバイスと第１の基地局との間の互換性のないＭＴＣプロファイルをもたらしたとき、ＭＴＣデバイスが第１の基地局との接続を拒絶することを示すＲＲＣ拒絶メッセージを第１の基地局に送信するための手段を備え、装置はさらに、ＭＴＣデバイスが次に関連付けるべき異種ネットワークからの第２の基地局を識別するための手段を含む。一例では、第１の基地局は、異種ネットワーク内のスモールセルに対応する場合があり、第２の基地局は、異種ネットワーク内のマクロセルに対応する。別の例では、第１の基地局は、異種ネットワーク内のマクロセルに対応する場合があり、第２の基地局は、異種ネットワーク内のスモールセルに対応する。
【０１５８】
[0186]ワイヤレス通信のための装置は、ＭＴＣデバイスに第１のＲＲＣプロファイルメッセージを送信するための手段を含み、ここで、第１のＲＲＣプロファイルメッセージは、基地局によってサポートされるＭＴＣプロファイルのセットを備える。装置は、ＭＴＣデバイスから第２のＲＲＣプロファイルメッセージを受信するための手段を含み、ここで、第２のＲＲＣプロファイルメッセージは、ＭＴＣデバイスによってサポートされるＭＴＣプロファイルのセットを備える。装置はまた、ＭＴＣデバイスによってサポートされるセット内のＭＴＣプロファイルと互換性のある、基地局によってサポートされるセット内のＭＴＣプロファイルを決定するために、ＭＴＣデバイスと交渉するための手段を含む。装置はさらに、互換性のあるＭＴＣプロファイルを利用して、ＭＴＣデバイスとの接続を確立するための手段を含む。
【０１５９】
[0187]装置のいくつかの実施形態では、受信するための手段は、基地局によってサポートされるＭＴＣプロファイルのセットを要求するためにＲＲＣ要求メッセージをＭＴＣデバイスから受信するための手段を含み、送信するための手段は、ＲＲＣ要求メッセージに応答してＭＴＣデバイスに第１のＲＲＣプロファイルメッセージを送信するための手段を含む。受信するための手段は、ＲＲＣ接続セットアップメッセージの一部として、またはＲＲＣ再構成メッセージの一部として、ＲＲＣ要求メッセージをＭＴＣデバイスから受信するための手段を含む場合がある。第１のＲＲＣプロファイルメッセージは、基地局によってブロードキャストされるＲＲＣメッセージであり得るし、装置は、ＲＲＣブロードキャストメッセージ内の１つまたは複数のＳＩＢ内の基地局によってサポートされるＭＴＣプロファイルのセットを提供するための手段を含む。
【０１６０】
[0188]装置のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１６１】
[0189]装置のいくつかの実施形態では、受信するための手段は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、ＭＴＣデバイスから受信するための手段を含む。装置のいくつかの実施形態では、装置は、基地局によってサポートされるセット内のＭＴＣプロファイルを表すために、第１のＲＲＣプロファイルメッセージ内の１つまたは複数のビットを割り当てるための手段を含む。
【０１６２】
[0190]ワイヤレス通信のための装置は、基地局から第１のＲＲＣプロファイルメッセージを受信するように構成された受信機を含み、ここで、第１のＲＲＣプロファイルメッセージは、基地局によってサポートされるＭＴＣプロファイルのセットを含む。装置は、基地局に第２のＲＲＣプロファイルメッセージを送信するように構成された送信機モジュールを含み、ここで、第２のＲＲＣプロファイルメッセージは、ＭＴＣデバイスによってサポートされるＭＴＣプロファイルのセットを含む。装置はまた、ＭＴＣデバイスによってサポートされるセット内のＭＴＣプロファイルと互換性のある、基地局によってサポートされるセット内のＭＴＣプロファイルを決定するために、基地局と交渉するように構成された交渉モジュールを含む。装置はさらに、互換性のあるＭＴＣプロファイルを利用して、基地局との接続を確立するように構成された接続モジュールを含む。
【０１６３】
[0191]装置のいくつかの実施形態では、送信機モジュールは、基地局によってサポートされるＭＴＣプロファイルのセットを要求するためにＲＲＣ要求メッセージを基地局に送信するように構成され、受信機モジュールは、ＲＲＣ要求メッセージに応答する基地局からの第１のＲＲＣプロファイルメッセージを受信するように構成される。送信機モジュールは、ＲＲＣ接続セットアップメッセージの一部として、またはＲＲＣ再構成メッセージの一部として、ＲＲＣ要求メッセージを基地局に送信するように構成される。第１のＲＲＣプロファイルメッセージは、基地局によってブロードキャストされるＲＲＣメッセージであり得るし、基地局によってサポートされるＭＴＣプロファイルのセットは、ＲＲＣブロードキャストメッセージ内の１つまたは複数のＳＩＢに含まれる場合がある。
【０１６４】
[0192]装置のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１６５】
[0193]装置のいくつかの実施形態では、送信機モジュールは、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、基地局に送信するように構成される。装置のいくつかの実施形態では、装置は、第１のＲＲＣプロファイルメッセージ内で受信された１つまたは複数のビットから、基地局によってサポートされるセット内のＭＴＣプロファイルの各々を識別するように構成された識別モジュールを含む。
【０１６６】
[0194]装置のいくつかの実施形態では、基地局は、ＭＴＣ通信をサポートする複数の基地局を有する異種ネットワーク内の第１の基地局であり、送信機モジュールは、交渉がＭＴＣデバイスと第１の基地局との間の互換性のないＭＴＣプロファイルをもたらしたとき、ＭＴＣデバイスが第１の基地局との接続を拒絶することを示すＲＲＣ拒絶メッセージを第１の基地局に送信するように構成され、装置はさらに、ＭＴＣデバイスが次に関連付けるべき異種ネットワークからの第２の基地局を識別するように構成された識別モジュールを含む。一例では、第１の基地局は、異種ネットワーク内のスモールセルに対応する場合があり、第２の基地局は、異種ネットワーク内のマクロセルに対応する。別の例では、第１の基地局は、異種ネットワーク内のマクロセルに対応する場合があり、第２の基地局は、異種ネットワーク内のスモールセルに対応する。
【０１６７】
[0195]ワイヤレス通信のための装置は、ＭＴＣデバイスに第１のＲＲＣプロファイルメッセージを送信するように構成された送信機モジュールを含み、ここで、第１のＲＲＣプロファイルメッセージは、基地局によってサポートされるＭＴＣプロファイルのセットを含む。装置は、ＭＴＣデバイスから第２のＲＲＣプロファイルメッセージを受信するように構成された受信機モジュールを含み、ここで、第２のＲＲＣプロファイルメッセージは、ＭＴＣデバイスによってサポートされるＭＴＣプロファイルのセットを含む。装置はまた、ＭＴＣデバイスによってサポートされるセット内のＭＴＣプロファイルと互換性のある、基地局によってサポートされるセット内のＭＴＣプロファイルを決定するために、ＭＴＣデバイスと交渉するように構成された交渉モジュールを含む。装置はさらに、互換性のあるＭＴＣプロファイルを利用して、ＭＴＣデバイスとの接続を確立するように構成された接続モジュールを含む。
【０１６８】
[0196]装置のいくつかの実施形態では、受信機モジュールは、基地局によってサポートされるＭＴＣプロファイルのセットを要求するためにＲＲＣ要求メッセージをＭＴＣデバイスから受信するように構成され、送信機モジュールは、ＲＲＣ要求メッセージに応答してＭＴＣデバイスに第１のＲＲＣプロファイルメッセージを送信するように構成される。装置のいくつかの実施形態では、受信機モジュールは、ＲＲＣ接続セットアップメッセージの一部として、またはＲＲＣ再構成メッセージの一部として、ＲＲＣ要求メッセージをＭＴＣデバイスから受信するように構成される。第１のＲＲＣプロファイルメッセージは、基地局によってブロードキャストされるＲＲＣメッセージであり得るし、送信機モジュールは、ＲＲＣブロードキャストメッセージ内の１つまたは複数のＳＩＢ内の基地局によってサポートされるＭＴＣプロファイルのセットを提供するように構成される。
【０１６９】
[0197]装置のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１７０】
[0198]装置のいくつかの実施形態では、受信機モジュールは、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、ＭＴＣデバイスから受信するように構成される。装置のいくつかの実施形態では、装置は、基地局によってサポートされるセット内のＭＴＣプロファイルを表すために、第１のＲＲＣプロファイルメッセージ内の１つまたは複数のビットを割り当てるように構成された割当てモジュールを含む。
【０１７１】
[0199]コンピュータプログラム製品は、基地局から第１のＲＲＣプロファイルメッセージを受信することを少なくとも１つのコンピュータに行わせるためのコードを有する非一時的コンピュータ可読媒体を含み、ここで、第１のＲＲＣプロファイルメッセージは、基地局によってサポートされるマシンタイプ通信（ＭＴＣ）プロファイルのセットを含む。非一時的コンピュータ可読媒体は、基地局に第２のＲＲＣプロファイルメッセージを送信することを少なくとも１つのコンピュータに行わせるためのコードを含み、ここで、第２のＲＲＣプロファイルメッセージは、ＭＴＣデバイスによってサポートされるＭＴＣプロファイルのセットを含む。非一時的コンピュータ可読媒体はまた、ＭＴＣデバイスによってサポートされるセット内のＭＴＣプロファイルと互換性のある、基地局によってサポートされるセット内のＭＴＣプロファイルを決定するために、基地局と交渉することを少なくとも１つのコンピュータに行わせるためのコードを含む。非一時的コンピュータ可読媒体はさらに、互換性のあるＭＴＣプロファイルを利用して、基地局との接続を確立することを少なくとも１つのコンピュータに行わせるためのコードを含む。
【０１７２】
[0200]コンピュータプログラム製品のいくつかの実施形態では、非一時的コンピュータ可読媒体は、基地局によってサポートされるＭＴＣプロファイルのセットを要求するためにＲＲＣ要求メッセージを基地局に送信することを少なくとも１つのコンピュータに行わせるためのコードと、ＲＲＣ要求メッセージに応答する基地局からの第１のＲＲＣプロファイルメッセージを受信することを少なくとも１つのコンピュータに行わせるためのコードとを含む。コンピュータプログラム製品のいくつかの実施形態では、非一時的コンピュータ可読媒体は、ＲＲＣ接続セットアップメッセージの一部として、またはＲＲＣ再構成メッセージの一部として、ＲＲＣ要求メッセージを基地局に送信することを少なくとも１つのコンピュータに行わせるためのコードを含む。第１のＲＲＣプロファイルメッセージは、基地局によってブロードキャストされるＲＲＣメッセージであり得るし、基地局によってサポートされるＭＴＣプロファイルのセットは、ＲＲＣブロードキャストメッセージ内の１つまたは複数のＳＩＢに含まれる。
【０１７３】
[0201]コンピュータプログラム製品のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１７４】
[0202]コンピュータプログラム製品のいくつかの実施形態では、非一時的コンピュータ可読媒体は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、基地局に送信することを少なくとも１つのコンピュータに行わせるためのコードを含む。コンピュータプログラム製品のいくつかの実施形態では、非一時的コンピュータ可読媒体は、第１のＲＲＣプロファイルメッセージ内で受信された１つまたは複数のビットから、基地局によってサポートされるセット内のＭＴＣプロファイルの各々を識別することを少なくとも１つのコンピュータに行わせるためのコードを含む。
【０１７５】
[0203]コンピュータプログラム製品のいくつかの実施形態では、基地局は、ＭＴＣ通信をサポートする複数の基地局を有する異種ネットワーク内の第１の基地局であり、非一時的コンピュータ可読媒体は、交渉がＭＴＣデバイスと第１の基地局との間の互換性のないＭＴＣプロファイルをもたらしたとき、ＭＴＣデバイスが第１の基地局との接続を拒絶することを示すＲＲＣ拒絶メッセージを第１の基地局に送信することを少なくとも１つのコンピュータに行わせるためのコードと、ＭＴＣデバイスが次に関連付けるべき異種ネットワークからの第２の基地局を識別することを少なくとも１つのコンピュータに行わせるためのコードとを含む。一例では、第１の基地局は、異種ネットワーク内のスモールセルに対応する場合があり、第２の基地局は、異種ネットワーク内のマクロセルに対応する。別の例では、第１の基地局は、異種ネットワーク内のマクロセルに対応する場合があり、第２の基地局は、異種ネットワーク内のスモールセルに対応する。
【０１７６】
[0204]コンピュータプログラム製品は、ＭＴＣデバイスに第１のＲＲＣプロファイルメッセージを送信することを少なくとも１つのコンピュータに行わせるためのコードを有する非一時的コンピュータ可読媒体を含み、ここで、第１のＲＲＣプロファイルメッセージは、基地局によってサポートされるＭＴＣプロファイルのセットを含む。非一時的コンピュータ可読媒体は、ＭＴＣデバイスから第２のＲＲＣプロファイルメッセージを受信することを少なくとも１つのコンピュータに行わせるためのコードを含み、ここで、第２のＲＲＣプロファイルメッセージは、ＭＴＣデバイスによってサポートされるＭＴＣプロファイルのセットを備える。非一時的コンピュータ可読媒体はまた、ＭＴＣデバイスによってサポートされるセット内のＭＴＣプロファイルと互換性のある、基地局によってサポートされるセット内のＭＴＣプロファイルを決定することを少なくとも１つのコンピュータに行わせるためのコードを含む。非一時的コンピュータ可読媒体はさらに、互換性のあるＭＴＣプロファイルを利用して、ＭＴＣデバイスとの接続を確立することを少なくとも１つのコンピュータに行わせるためのコードを含む。
【０１７７】
[0205]コンピュータプログラム製品のいくつかの実施形態では、非一時的コンピュータ可読媒体は、基地局によってサポートされるＭＴＣプロファイルのセットを要求するためにＲＲＣ要求メッセージをＭＴＣデバイスから受信することを少なくとも１つのコンピュータに行わせるためのコードと、ＲＲＣ要求メッセージに応答してＭＴＣデバイスに第１のＲＲＣプロファイルメッセージを送信することを少なくとも１つのコンピュータに行わせるためのコードとを含む。コンピュータプログラム製品のいくつかの実施形態では、非一時的コンピュータ可読媒体は、ＲＲＣ接続セットアップメッセージの一部として、またはＲＲＣ再構成メッセージの一部として、ＲＲＣ要求メッセージをＭＴＣデバイスから受信することを少なくとも１つのコンピュータに行わせるためのコードを含む。第１のＲＲＣプロファイルメッセージは、基地局によってブロードキャストされるＲＲＣメッセージであり得るし、非一時的コンピュータ可読媒体は、ＲＲＣブロードキャストメッセージ内の１つまたは複数のシステム情報ブロック（ＳＩＢ）内の基地局によってサポートされるＭＴＣプロファイルのセットを提供することを少なくとも１つのコンピュータに行わせるためのコードを含む。
【０１７８】
[0206]コンピュータプログラム製品のいくつかの実施形態では、基地局によってサポートされるセット内の各ＭＴＣプロファイルは、ＭＴＣ通信についての周期性、ＭＴＣ通信用の遅延バジェット、またはＭＴＣ通信用のビットレートのうちの１つまたは複数を示す。同様に、ＭＴＣデバイスによってサポートされるセット内の各ＭＴＣプロファイルは、ＭＴＣ通信についての周期性、ＭＴＣ通信用の遅延バジェット、ＭＴＣ通信用のビットレート、および少なくとも１つのセキュリティパラメータのうちの１つまたは複数を示す。
【０１７９】
[0207]コンピュータプログラム製品のいくつかの実施形態では、非一時的コンピュータ可読媒体は、交渉がＭＴＣデバイスと基地局との間の互換性のないＭＴＣプロファイルをもたらしたとき、ＭＴＣデバイスが基地局との接続を拒絶することを示すＲＲＣ拒絶メッセージを、ＭＴＣデバイスから受信することを少なくとも１つのコンピュータに行わせるためのコードを含む。コンピュータプログラム製品のいくつかの実施形態では、非一時的コンピュータ可読媒体は、基地局によってサポートされるセット内のＭＴＣプロファイルを表すために、第１のＲＲＣプロファイルメッセージ内の１つまたは複数のビットを割り当てることを少なくとも１つのコンピュータに行わせるためのコードを含む。
【０１８０】
[0208]上記では、以下の発明を実施するための形態がより良く理解され得るために、本開示による例の特徴および技術的利点について概説した。以下で、さらなる特徴および利点が記載される。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。本明細書で開示される概念の特性であると考えられる特徴は、それらの編成と動作方法の両方に関して、関連する図とともに検討されると、関連した利点とともに以下の説明からより良く理解されよう。図の各々は、例示および説明のみの目的で与えられ、特許請求の範囲の限界を定めるものではない。
【０１８１】
[0209]ワイヤレス通信のための方法は、基地局において、ＭＴＣ用の基地局によってサポートされるチャネルの１つまたは複数の特性を示すために１つまたは複数のビットを割り当てることと、ブロードキャストチャネルを介して１つまたは複数のビットを備える信号を送信することとを含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、１つまたは複数の特性は、基地局がＭＴＣ用のチャネルをサポートする１つまたは複数の時間期間を識別することができる。
【０１８２】
[0210]ワイヤレス通信のための方法は、第１の基地局がフレーム内の１つまたは複数のサブフレームの間ＭＴＣ情報を通信し、第２の基地局が同じフレーム内の１つまたは複数の異なるサブフレームの間ＭＴＣ情報を通信するように、第１の基地局で、第１の基地局と第２の基地局との間の交換から調整情報を受信することを含む。方法はまた、１つまたは複数のサブフレームの間、ＭＴＣ用の第１の基地局によってサポートされるチャネルを介して、ＭＴＣ情報を通信することを含む。いくつかの実施形態では、第１の基地局は、異種ネットワーク内のスモールセルに対応する場合があり、第２の基地局は、異種ネットワーク内のマクロセルに対応する場合がある。
【０１８３】
[0211]いくつかの実施形態では、方法は、１つまたは複数のサブフレームのうちの１つのサブフレームの間、ＭＴＣ情報を通信するためのリソースブロックの第１のセットを割り当てることと、１つまたは複数のサブフレームのうちの別のサブフレームの間、ＭＴＣ情報を通信するための、リソースブロックの第１のセットとは異なるリソースブロックの第２のセットを割り当てることとを含む場合がある。いくつかの実施形態では、方法は、第１の基地局の負荷に少なくとも部分的に基づいて、第１の基地局によってＭＴＣ情報を通信するための期間を調整することを含む場合がある。いくつかの実施形態では、１つまたは複数の異なるサブフレームの間のＭＴＣに割り当てられたリソースブロックのセット内で、情報が通信されないように第２の基地局が使用不可にされ得るし、方法は、１つまたは複数の異なるサブフレーム内のリソースブロックのセットの間、ＭＴＣ情報を通信するために第１の基地局を使用可能にすることを含む場合がある。いくつかの実施形態では、調整情報に少なくとも部分的に基づいて、第１の基地局および第２の基地局は、ＭＴＣに割り当てられたリソースブロックの対応するセット内で、実質的に同じ電力でＭＴＣ情報を通信することができる。
【０１８４】
[0212]ワイヤレス通信のための装置は、基地局で、ＭＴＣ用の基地局によってサポートされるチャネルの１つまたは複数の特性を示すために１つまたは複数のビットを割り当てるための手段と、ブロードキャストチャネルを介して１つまたは複数のビットを備える信号を送信するための手段とを含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、１つまたは複数の特性は、基地局がＭＴＣ用のチャネルをサポートする１つまたは複数の時間期間を識別することができる。
【０１８５】
[0213]ワイヤレス通信のための装置は、第１の基地局がフレーム内の１つまたは複数のサブフレームの間ＭＴＣ情報を通信し、第２の基地局が同じフレーム内の１つまたは複数の異なるサブフレームの間ＭＴＣ情報を通信するように、第１の基地局で、第１の基地局と第２の基地局との間の交換から調整情報を受信するための手段を含む。装置はまた、１つまたは複数のサブフレームの間、ＭＴＣ用の第１の基地局によってサポートされるチャネルを介して、ＭＴＣ情報を通信するための手段を含む。いくつかの実施形態では、第１の基地局は、異種ネットワーク内のスモールセルに対応する場合があり、第２の基地局は、異種ネットワーク内のマクロセルに対応する場合がある。
【０１８６】
[0214]いくつかの実施形態では、装置はまた、１つまたは複数のサブフレームのうちの１つのサブフレームの間、ＭＴＣ情報を通信するためのリソースブロックの第１のセットを割り当てるための手段と、１つまたは複数のサブフレームのうちの別のサブフレームの間、ＭＴＣ情報を通信するための、リソースブロックの第１のセットとは異なるリソースブロックの第２のセットを割り当てるための手段とを含む場合がある。装置はまた、第１の基地局の負荷に少なくとも部分的に基づいて、第１の基地局によってＭＴＣ情報を通信するための期間を調整するための手段を含む場合がある。いくつかの実施形態では、ＭＴＣ１つまたは複数の異なるサブフレームに割り当てられたリソースブロックのセットの間、情報が通信されないように第２の基地局が使用不可にされ得るし、装置はさらに、１つまたは複数の異なるサブフレーム内のリソースブロックのセットの間、ＭＴＣ情報を通信するために第１の基地局を使用可能にするための手段を含む場合がある。いくつかの実施形態では、調整情報に少なくとも部分的に基づいて、第１の基地局および第２の基地局は、ＭＴＣに割り当てられたリソースブロックの対応するセット内で、実質的に同じ電力でＭＴＣ情報を通信することができる。
【０１８７】
[0215]ワイヤレス通信のための装置は、基地局で、ＭＴＣ用の基地局によってサポートされるチャネルの１つまたは複数の特性を示すために１つまたは複数のビットを割り当てるように構成されたＭＴＣモジュールと、ブロードキャストチャネルを介して１つまたは複数のビットを備える信号を送信するように構成された送信機モジュールとを含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、１つまたは複数の特性は、基地局がＭＴＣ用のチャネルをサポートする１つまたは複数の時間期間を識別することができる。
【０１８８】
[0216]ワイヤレス通信のための装置は、第１の基地局がフレーム内の１つまたは複数のサブフレームの間ＭＴＣ情報を通信し、第２の基地局が同じフレーム内の１つまたは複数の異なるサブフレームの間ＭＴＣ情報を通信するように、第１の基地局で、第１の基地局と第２の基地局との間の交換から調整情報を受信するように構成されたＭＴＣモジュールを含む。装置はまた、１つまたは複数のサブフレームの間、ＭＴＣ用の第１の基地局によってサポートされるチャネルを介して、ＭＴＣ情報を通信するように構成されたトランシーバモジュールを含む。いくつかの実施形態では、第１の基地局は、異種ネットワーク内のスモールセルに対応する場合があり、第２の基地局は、異種ネットワーク内のマクロセルに対応する場合がある。
【０１８９】
[0217]いくつかの実施形態では、ＭＴＣモジュールは、１つまたは複数のサブフレームのうちの１つのサブフレームの間、ＭＴＣ情報を通信するためのリソースブロックの第１のセットを割り当てることと、１つまたは複数のサブフレームのうちの別のサブフレームの間、ＭＴＣ情報を通信するための、リソースブロックの第１のセットとは異なるリソースブロックの第２のセットを割り当てることとを行うようにさらに構成される場合がある。いくつかの実施形態では、ＭＴＣモジュールは、第１の基地局の負荷に少なくとも部分的に基づいて、第１の基地局によってＭＴＣ情報を通信するための期間を調整するようにさらに構成される場合がある。いくつかの実施形態では、１つまたは複数の異なるサブフレームの間のＭＴＣに割り当てられたリソースブロックのセットの間、情報が通信されないように第２の基地局が使用不可にされ得るし、ＭＴＣモジュールは、１つまたは複数の異なるサブフレーム内のリソースブロックのセットの間、ＭＴＣ情報を通信するために第１の基地局を使用可能にするようにさらに構成される場合がある。いくつかの実施形態では、調整情報に少なくとも部分的に基づいて、第１の基地局および第２の基地局は、ＭＴＣに割り当てられたリソースブロックの対応するセット内で、実質的に同じ電力でＭＴＣ情報を通信することができる。
【０１９０】
[0218]コンピュータプログラム製品は、基地局で、ＭＴＣ用の基地局によってサポートされるチャネルの１つまたは複数の特性を示すために１つまたは複数のビットを割り当てることを少なくとも１つのプロセッサに行わせるためのコードと、ブロードキャストチャネルを介して１つまたは複数のビットを備える信号を送信することを少なくとも１つのプロセッサに行わせるためのコードとを有する、非一時的コンピュータ可読媒体を含む。いくつかの実施形態では、ＭＴＣ用のチャネルは、リソースブロックの対応するセットを有することができ、１つまたは複数の特性は、リソースブロックのそのセットの周波数オフセットを識別することができる。いくつかの実施形態では、ＭＴＣ用のチャネルは、リソースブロックの対応するセットを有することができ、１つまたは複数の特性は、異なるサブフレーム内のリソースブロックのそのセットの場所を識別することができる。いくつかの実施形態では、ＭＴＣ用のチャネルは、リソースブロックの対応するセットを有することができ、基地局は、ＭＴＣ用の１つまたは複数の追加チャネルをサポートすることができ、ここで、ＭＴＣ用の１つまたは複数の追加チャネルの各々は、基地局によってサポートされる任意の他のチャネルのリソースブロックとは異なるリソースブロックの対応するセットを有することができ、１つまたは複数の特性は、同じサブフレーム内のリソースブロックの各セットの場所を識別することができる。いくつかの実施形態では、１つまたは複数の特性は、基地局がＭＴＣ用のチャネルをサポートする１つまたは複数の時間期間を識別することができる。
【０１９１】
[0219]コンピュータプログラム製品は、第１の基地局がフレーム内の１つまたは複数のサブフレームの間ＭＴＣ情報を通信し、第２の基地局が同じフレーム内の１つまたは複数の異なるサブフレームの間ＭＴＣ情報を通信するように、第１の基地局で、第１の基地局と第２の基地局との間の交換から調整情報を受信することを少なくとも１つのコンピュータに行わせるためのコードを有する、非一時的コンピュータ可読媒体を含む。非一時的コンピュータ可読媒体は、１つまたは複数のサブフレームの間、ＭＴＣ用の第１の基地局によってサポートされるチャネルを介して、ＭＴＣ情報を通信することを少なくとも１つのコンピュータに行わせるためのコードを有する。いくつかの実施形態では、第１の基地局は、異種ネットワーク内のスモールセルに対応し、第２の基地局は、異種ネットワーク内のマクロセルに対応する。
【０１９２】
[0220]いくつかの実施形態では、非一時的コンピュータ可読媒体は、１つまたは複数のサブフレームのうちの１つのサブフレームの間、ＭＴＣ情報を通信するためのリソースブロックの第１のセットを割り当てることを少なくとも１つのコンピュータに行わせるためのコードと、１つまたは複数のサブフレームのうちの別のサブフレームの間、ＭＴＣ情報を通信するための、リソースブロックの第１のセットとは異なるリソースブロックの第２のセットを割り当てることを少なくとも１つのコンピュータに行わせるためのコードとを有する場合がある。いくつかの実施形態では、非一時的コンピュータ可読媒体は、第１の基地局の負荷に少なくとも部分的に基づいて、第１の基地局によってＭＴＣ情報を通信するための期間を調整することを少なくとも１つのコンピュータに行わせるためのコードを有する場合がある。いくつかの実施形態では、１つまたは複数の異なるサブフレームの間のＭＴＣに割り当てられたリソースブロックのセットの間、情報が通信されないように第２の基地局が使用不可にされ得るし、非一時的コンピュータ可読媒体は、１つまたは複数の異なるサブフレーム内のリソースブロックのセットの間、ＭＴＣ情報を通信するために第１の基地局を使用可能にすることを少なくとも１つのコンピュータに行わせるためのコードを有する場合がある。いくつかの実施形態では、調整情報に少なくとも部分的に基づいて、第１の基地局および第２の基地局は、ＭＴＣに割り当てられたリソースブロックの対応するセット内で、実質的に同じ電力でＭＴＣ情報を通信することができる。
以下に本願の出願当初の特許請求の範囲に記載された発明を付記する。
[Ｃ１]  ワイヤレス通信のための方法であって、
ユーザ機器（ＵＥ）で、マシンタイプ通信（ＭＴＣ）用の基地局によってサポートされるチャネルの１つまたは複数の特性を識別することと、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信することとを備える、方法。
[Ｃ２]  ＭＴＣ用の前記チャネルは、リソースブロックの対応するセットを有し、
前記１つまたは複数の特性は、リソースブロックの前記セットの周波数オフセットを識別する、Ｃ１に記載の方法。
[Ｃ３]  ＭＴＣ用の前記チャネルは、リソースブロックの対応するセットを有し、
前記１つまたは複数の特性は、異なるサブフレーム内のリソースブロックの前記セットの場所を識別する、Ｃ１に記載の方法。
[Ｃ４]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ１に記載の方法。
[Ｃ５]  前記基地局とＭＴＣ情報を通信するためのリソースブロックの前記１つまたは複数の追加セットから、リソースブロックの第１のセットとリソースブロックの第２のセットとの間を選択することをさらに備える、Ｃ４に記載の方法。
[Ｃ６]  前記選択することは、
前記ＵＥのユニークな識別子内の特定のビットを識別することと、
前記ビットの値に基づいて、リソースブロックの前記第１のセットとリソースブロックの前記第２のセットとの間を選択することとをさらに備える、Ｃ５に記載の方法。
[Ｃ７]  前記１つまたは複数の特性は、前記基地局がＭＴＣ用の前記チャネルをサポートする１つまたは複数の時間期間を識別し、前記方法は、
前記１つまたは複数の時間期間に従って、前記基地局とＭＴＣ情報を通信するために前記ＵＥを起こすことをさらに備える、Ｃ１に記載の方法。
[Ｃ８]  前記ＵＥで、フレーム内の１つまたは複数のサブフレームの間で第１の基地局から、および前記同じフレーム内の１つまたは複数の異なるサブフレームの間で第２の基地局から、ＭＴＣ情報を受信することと、
前記第１の基地局から受信された前記ＭＴＣ情報に少なくとも部分的に基づいて、前記第１の基地局用の第１のチャネル基準値を決定することと、
前記第２の基地局から受信された前記ＭＴＣ情報に少なくとも部分的に基づいて、前記第２の基地局用の第２のチャネル基準値を決定することとをさらに備える、Ｃ１に記載の方法。
[Ｃ９]  前記ユーザ機器との関連付けのために、前記第１の基地局および前記第２の基地局のうちの１つを選択することをさらに備え、前記選択は、前記第１のチャネル基準値および前記第２のチャネル基準値に少なくとも部分的に基づく、Ｃ８に記載の方法。
[Ｃ１０]  ワイヤレス通信のための装置であって、
ユーザ機器（ＵＥ）で、マシンタイプ通信（ＭＴＣ）用の基地局によってサポートされるチャネルの１つまたは複数の特性を識別するための手段と、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信するための手段とを備える、装置。
[Ｃ１１]  ＭＴＣ用の前記チャネルは、リソースブロックの対応するセットを有し、
前記１つまたは複数の特性が、リソースブロックの前記セットの周波数オフセットを識別する、Ｃ１０に記載の装置。
[Ｃ１２]  ＭＴＣ用の前記チャネルは、リソースブロックの対応するセットを有し、
前記１つまたは複数の特性が、異なるサブフレーム内のリソースブロックの前記セットの場所を識別する、Ｃ１０に記載の装置。
[Ｃ１３]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ１０に記載の装置。
[Ｃ１４]  前記基地局とＭＴＣ情報を通信するためのリソースブロックの前記１つまたは複数の追加セットから、リソースブロックの第１のセットとリソースブロックの第２のセットとの間を選択するための手段をさらに備える、Ｃ１３に記載の装置。
[Ｃ１５]  選択するための前記手段は、
前記ＵＥのユニークな識別子内の特定のビットを識別するための手段と、
前記ビットの値に基づいて、リソースブロックの前記第１のセットとリソースブロックの前記第２のセットとの間を選択するための手段とをさらに備える、Ｃ１４に記載の装置。
[Ｃ１６]  前記１つまたは複数の特性は、前記基地局がＭＴＣ用の前記チャネルをサポートする１つまたは複数の時間期間を識別し、前記装置は、
前記１つまたは複数の時間期間に従って、前記基地局とＭＴＣ情報を通信するために前記ＵＥを起こすための手段をさらに備える、Ｃ１０に記載の装置。
[Ｃ１７]  ワイヤレス通信のための装置であって、
ユーザ機器（ＵＥ）で、マシンタイプ通信（ＭＴＣ）用の基地局によってサポートされるチャネルの１つまたは複数の特性を識別するように構成されたＭＴＣモジュールと、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信するように構成されたトランシーバモジュールとを備える、装置。
[Ｃ１８]  ＭＴＣ用の前記チャネルは、リソースブロックの対応するセットを有し、
前記１つまたは複数の特性が、リソースブロックの前記セットの周波数オフセットを識別する、Ｃ１７に記載の装置。
[Ｃ１９]  ＭＴＣ用の前記チャネルは、リソースブロックの対応するセットを有し、
前記１つまたは複数の特性は、異なるサブフレーム内のリソースブロックの前記セットの場所を識別する、Ｃ１７に記載の装置。
[Ｃ２０]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ１７に記載の装置。
[Ｃ２１]  前記ＭＴＣモジュールは、前記基地局とＭＴＣ情報を通信するためのリソースブロックの前記１つまたは複数の追加セットから、リソースブロックの第１のセットとリソースブロックの第２のセットとの間を選択するようにさらに構成された、Ｃ２０に記載の装置。
[Ｃ２２]  前記ＭＴＣモジュールは、
前記ＵＥのユニークな識別子内の特定のビットを識別し、
前記ビットの値に基づいて、リソースブロックの前記第１のセットとリソースブロックの前記第２のセットとの間を選択するようにさらに構成された、Ｃ２１に記載の装置。
[Ｃ２３]  前記１つまたは複数の特性は、前記基地局がＭＴＣ用の前記チャネルをサポートする１つまたは複数の時間期間を識別し、前記装置は、
前記１つまたは複数の時間期間に従って、前記基地局とＭＴＣ情報を通信するために前記ＵＥを起こすように構成されたプロセッサモジュールをさらに備える、Ｃ１７に記載の装置。
[Ｃ２４]  ワイヤレス通信のための非一時的コンピュータ可読媒体であって、
ユーザ機器（ＵＥ）で、マシンタイプ通信（ＭＴＣ）用の基地局によってサポートされるチャネルの１つまたは複数の特性を識別することを少なくとも１つのコンピュータに行わせるためのコードと、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信することを前記少なくとも１つのコンピュータに行わせるためのコードとを備える、非一時的コンピュータ可読媒体。
[Ｃ２５]  ＭＴＣ用の前記チャネルは、リソースブロックの対応するセットを有し、
前記１つまたは複数の特性は、リソースブロックの前記セットの周波数オフセットを識別する、Ｃ２４に記載のコンピュータ可読媒体。
[Ｃ２６]  ＭＴＣ用の前記チャネルは、リソースブロックの対応するセットを有し、
前記１つまたは複数の特性は、異なるサブフレーム内のリソースブロックの前記セットの場所を識別する、Ｃ２４に記載のコンピュータ可読媒体。
[Ｃ２７]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ２４に記載のコンピュータ可読媒体。
[Ｃ２８]  前記基地局とＭＴＣ情報を通信するためのリソースブロックの前記１つまたは複数の追加セットから、リソースブロックの第１のセットとリソースブロックの第２のセットとの間を選択することを前記少なくとも１つのコンピュータに行わせるためのコードをさらに備える、Ｃ２７に記載のコンピュータ可読媒体。
[Ｃ２９]  前記ＵＥのユニークな識別子内の特定のビットを識別することを前記少なくとも１つのコンピュータに行わせるためのコードと、
前記ビットの値に基づいて、リソースブロックの前記第１のセットとリソースブロックの前記第２のセットとの間を選択することを前記少なくとも１つのコンピュータに行わせるためのコードとをさらに備える、Ｃ２８に記載のコンピュータ可読媒体。
[Ｃ３０]  前記１つまたは複数の特性は、前記基地局がＭＴＣ用の前記チャネルをサポートする１つまたは複数の時間期間を識別し、
前記コンピュータ可読媒体は、前記１つまたは複数の時間期間に従って、前記基地局とＭＴＣ情報を通信するために前記ＵＥを起こすことを前記少なくとも１つのコンピュータに行わせるためのコードをさらに備える、Ｃ２４に記載のコンピュータ可読媒体。
【図１】
0006373882.tif 000002
【図２Ａ】
0006373882.tif 000003
【図２Ｂ】
0006373882.tif 000004
【図３Ａ】
0006373882.tif 000005
【図３Ｂ】
0006373882.tif 000006
【図４】
0006373882.tif 000007
【図５Ａ】
0006373882.tif 000008
【図５Ｂ】
0006373882.tif 000009
【図６】
0006373882.tif 000010
【図７Ａ】
0006373882.tif 000011
【図７Ｂ】
0006373882.tif 000012
【図８Ａ】
0006373882.tif 000013
【図８Ｂ】
0006373882.tif 000014
【図９】
0006373882.tif 000015
【図１０】
0006373882.tif 000016
【図１１】
0006373882.tif 000017
【図１２】
0006373882.tif 000018
【図１３】
0006373882.tif 000019
【図１４】
0006373882.tif 000020
【図１５】
0006373882.tif 000021
【図１６】
0006373882.tif 000022
【図１７】
0006373882.tif 000023
【図１８】
0006373882.tif 000024
【図１９】
0006373882.tif 000025
【図２０】
0006373882.tif 000026
【図２１】
0006373882.tif 000027
【図２２】
0006373882.tif 000028
【図２３】
0006373882.tif 000029
【図２４】
0006373882.tif 000030